(57)【要約】      （修正有）【課題】効率的に通信を行う端末装置、基地局装置及び通信方法を提供する。【解決手段】１または複数の初期信号ブロックのいずれかに対する第１のインデックスは、ＸをＮＱで除算することによって得られるあまりに、Ｙが加算されることに少なくとも基づき与えられ、第２のインデックスは、１または複数の初期信号ブロックのいずれかに含まれるＰＢＣＨ、および／または、ＰＢＣＨに関連するＤＭＲＳに基づき与えられる。上位層パラメータに含まれるｎ番目のビットが所定の値にセットされている場合に、送信される初期信号ブロックは、ｎ番目の初期信号ブロックグループに含まれる。【選択図】なし【特許請求の範囲】
【請求項１】
上位層パラメータ（ssbPositionInBurst）の設定を行う設定部と、
ＰＤＳＣＨを受信する受信部と、を備え、
前記上位層パラメータに含まれるｎ番目のビットは、ｎ番目の初期信号ブロックグループに対応し、
前記ｎ番目の初期信号ブロックグループは、第１のインデックスがｎである、１または複数の初期信号ブロックを含み、
前記１または複数の初期信号ブロックのいずれかに対する第２のインデックスがＸである場合、前記１または複数の初期信号ブロックの前記いずれかに対する前記第１のインデックスは、ＸをＮＱで除算することによって得られるあまりに、Ｙが加算されることに少なくとも基づき与えられ、
前記第２のインデックスは、前記１または複数の初期信号ブロックの前記いずれかに含まれるＰＢＣＨ、および／または、前記ＰＢＣＨに関連するＤＭＲＳに少なくとも基づき与えられ、
前記ＰＤＳＣＨの複素変調シンボルのブロックは、前記ＰＤＳＣＨのために割り当てられるリソースのうち、送信される初期信号ブロックにマップされず、
前記上位層パラメータに含まれるｎ番目のビットが所定の値にセットされている場合に、前記送信される初期信号ブロックは、前記ｎ番目の初期信号ブロックグループに含まれる前記１または複数の初期信号ブロックを含む
端末装置。
【請求項２】
上位層パラメータ（ssbPositionInBurst）の設定を行う設定部と、
ＮＳＳＢ個の初期信号ブロックから構成される初期信号において送信された１つ以上の前記初期信号ブロックの時間領域位置を示す前記上位層パラメータを受信し、および、ＰＤＳＣＨを受信し、
ここで、前記Ｎは、ハーフ無線フレームに含まれる初期信号ブロックの候補の数であり、前記ハーフ無線フレームは、無線フレームに含まれる１０個のサブフレームのうちの前半の５個、または、後半の５個のサブフレームのいずれかを含んで構成され、
前記上位層パラメータに従って前記送信された１つ以上の初期信号ブロックを想定し、
前記送信された１つ以上の初期信号ブロックに用いられるリソースエレメントは、前記ＰＤＳＣＨに利用できないと想定し、
前記上記層パラメータのｎ番目のビットが１にセットされることは、（ｎ−１＋ＮＱ＊ｍ）のインデックスの初期信号ブロックが送信されたと想定する受信部と、を備え、
前記ｍ＝（０、…、Ｆｌｏｏｒ（ＮＳＳＢ÷ＮＱ，１））である、または、
前記ｍは前記ＮＳＳＢを前記ＮＱで割った商以下の０を含む自然数の集合である
端末装置。
【請求項３】
上位層パラメータ（ssbPositionInBurst）の設定を行う設定部と、
ＰＤＳＣＨを送信する送信部と、を備え、
前記上位層パラメータに含まれるｎ番目のビットは、ｎ番目の初期信号ブロックグループに対応し、
前記ｎ番目の初期信号ブロックグループは、第１のインデックスがｎである、１または複数の初期信号ブロックを含み、
前記１または複数の初期信号ブロックのいずれかに対する第２のインデックスがＸである場合、前記１または複数の初期信号ブロックの前記いずれかに対する前記第１のインデックスは、ＸをＮＱで除算することによって得られるあまりに、Ｙが加算されることに少なくとも基づき与えられ、
前記第２のインデックスは、前記１または複数の初期信号ブロックの前記いずれかに含まれるＰＢＣＨ、および／または、前記ＰＢＣＨに関連するＤＭＲＳに少なくとも基づき
与えられ、
前記ＰＤＳＣＨの複素変調シンボルのブロックは、前記ＰＤＳＣＨのために割り当てられるリソースのうち、送信される初期信号ブロックにマップされず、
前記上位層パラメータに含まれるｎ番目のビットが所定の値にセットされている場合に、前記送信される初期信号ブロックは、前記ｎ番目の初期信号ブロックグループに含まれる前記１または複数の初期信号ブロックを含む
基地局装置。
【請求項４】
端末装置に用いられる通信方法であって、
上位層パラメータ（ssbPositionInBurst）の設定を行うステップと、
ＰＤＳＣＨを受信するステップと、を備え、
前記上位層パラメータに含まれるｎ番目のビットは、ｎ番目の初期信号ブロックグループに対応し、
前記ｎ番目の初期信号ブロックグループは、第１のインデックスがｎである、１または複数の初期信号ブロックを含み、
前記１または複数の初期信号ブロックのいずれかに対する第２のインデックスがＸである場合、前記１または複数の初期信号ブロックの前記いずれかに対する前記第１のインデックスは、ＸをＮＱで除算することによって得られるあまりに、Ｙが加算されることに少なくとも基づき与えられ、
前記第２のインデックスは、前記１または複数の初期信号ブロックの前記いずれかに含まれるＰＢＣＨ、および／または、前記ＰＢＣＨに関連するＤＭＲＳに少なくとも基づき与えられ、
前記ＰＤＳＣＨの複素変調シンボルのブロックは、前記ＰＤＳＣＨのために割り当てられるリソースのうち、送信される初期信号ブロックにマップされず、
前記上位層パラメータに含まれるｎ番目のビットが所定の値にセットされている場合に、前記送信される初期信号ブロックは、前記ｎ番目の初期信号ブロックグループに含まれる前記１または複数の初期信号ブロックを含む
通信方法。
【請求項５】
端末装置に用いられる通信方法であって、
上位層パラメータ（ssbPositionInBurst）の設定を行うステップと、
ＮＳＳＢ個の初期信号ブロックから構成される初期信号において送信された１つ以上の前記初期信号ブロックの時間領域位置を示す前記上位層パラメータを受信するステップと
ＰＤＳＣＨを受信するステップと、
ここで、前記Ｎは、ハーフ無線フレームに含まれる初期信号ブロックの候補の数であり、前記ハーフ無線フレームは、無線フレームに含まれる１０個のサブフレームのうちの前半の５個、または、後半の５個のサブフレームのいずれかを含んで構成され、
前記上位層パラメータに従って前記送信された１つ以上の初期信号ブロックを想定するステップと、
前記送信された１つ以上の初期信号ブロックに用いられるリソースエレメントは、前記ＰＤＳＣＨに利用できないと想定するステップと、
前記上記層パラメータのｎ番目のビットが１にセットされることは、（ｎ−１＋ＮＱ＊ｍ）のインデックスの初期信号ブロックが送信されたと想定するステップと、を備え、
前記ｍ＝（０、…、Ｆｌｏｏｒ（ＮＳＳＢ÷ＮＱ，１））である、または、
前記ｍは前記ＮＳＳＢを前記ＮＱで割った商以下の０を含む自然数の集合である
通信方法。
【請求項６】
基地局装置に用いられる通信方法であって、
上位層パラメータ（ssbPositionInBurst）の設定を行うステップと、
ＰＤＳＣＨを送信するステップと、を備え、
前記上位層パラメータに含まれるｎ番目のビットは、ｎ番目の初期信号ブロックグループに対応し、
前記ｎ番目の初期信号ブロックグループは、第１のインデックスがｎである、１または複数の初期信号ブロックを含み、
前記１または複数の初期信号ブロックのいずれかに対する第２のインデックスがＸである場合、前記１または複数の初期信号ブロックの前記いずれかに対する前記第１のインデックスは、ＸをＮＱで除算することによって得られるあまりに、Ｙが加算されることに少なくとも基づき与えられ、
前記第２のインデックスは、前記１または複数の初期信号ブロックの前記いずれかに含まれるＰＢＣＨ、および／または、前記ＰＢＣＨに関連するＤＭＲＳに少なくとも基づき与えられ、
前記ＰＤＳＣＨの複素変調シンボルのブロックは、前記ＰＤＳＣＨのために割り当てられるリソースのうち、送信される初期信号ブロックにマップされず、
前記上位層パラメータに含まれるｎ番目のビットが所定の値にセットされている場合に、前記送信される初期信号ブロックは、前記ｎ番目の初期信号ブロックグループに含まれる前記１または複数の初期信号ブロックを含む
通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE）」、または、「ＥＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ」と称する。）が、第三世代パートナーシッププロジェクト（3GPP:3rd Generation Partnership Project）において検討されている。ＬＴＥにおいて、基地局装置はｅＮｏｄｅＢ（evolved NodeB）、端末装置はＵＥ（User Equipment）とも呼称される。ＬＴＥは、基地局装置がカバーするエリアをセル状に複数配置するセルラー通信システムである。単一の基地局装置は複数のサービングセルを管理してもよい。
【０００３】
３ＧＰＰでは、国際電気通信連合（ITU:International Telecommunication Union）が
策定する次世代移動通信システムの規格であるＩＭＴ（International Mobile Telecommunication）―２０２０に提案するため、次世代規格（NR: New Radio）の検討が行われている（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra Reliable and Low Latency Communication）の３つのシナリオを想定した要求を満たすことが求められている。
【先行技術文献】
【非特許文献】
【０００４】
【非特許文献１】"New SID proposal: Study on New Radio Access Technology"， RP-160671， NTT docomo， 3GPP TSG RAN Meeting #71，Goteborg， Sweden， 7th ― 10th March， 2016．
【発明の概要】
【発明が解決しようとする課題】
【０００５】
本発明は、効率的に通信を行う端末装置、該端末装置に用いられる通信方法、効率的に通信を行う基地局装置、該基地局装置に用いられる通信方法を提供する。
【課題を解決するための手段】
【０００６】
（１）本発明の第１の態様は、端末装置であって、上位層パラメータ（ssbPositionInBurst）の設定を行う設定部と、ＰＤＳＣＨを受信する受信部と、を備え、前記上位層パラメータに含まれるｎ番目のビットは、ｎ番目の初期信号ブロックグループに対応し、前記ｎ番目の初期信号ブロックグループは、第１のインデックスがｎである、１または複数の初期信号ブロックを含み、前記１または複数の初期信号ブロックのいずれかに対する第２のインデックスがＸである場合、前記１または複数の初期信号ブロックの前記いずれかに対する前記第１のインデックスは、ＸをＮＱで除算することによって得られるあまりに、Ｙが加算されることに少なくとも基づき与えられ、前記第２のインデックスは、前記１または複数の初期信号ブロックの前記いずれかに含まれるＰＢＣＨ、および／または、前記ＰＢＣＨに関連するＤＭＲＳに少なくとも基づき与えられ、前記ＰＤＳＣＨの複素変調シンボルのブロックは、前記ＰＤＳＣＨのために割り当てられるリソースのうち、送信される初期信号ブロックにマップされず、前記上位層パラメータに含まれるｎ番目のビットが所定の値にセットされている場合に、前記送信される初期信号ブロックは、前記ｎ番目の初期信号ブロックグループに含まれる前記１または複数の初期信号ブロックを含む。
【０００７】
（２）本発明の第２の態様は、端末装置であって、上位層パラメータ（ssbPositionInBurst）の設定を行う設定部と、ＮＳＳＢ個の初期信号ブロックから構成される初期信号において送信された１つ以上の前記初期信号ブロックの時間領域位置を示す前記上位層パラメータを受信し、および、ＰＤＳＣＨを受信し、ここで、前記Ｎは、ハーフ無線フレームに含まれる初期信号ブロックの候補の数であり、前記ハーフ無線フレームは、無線フレームに含まれる１０個のサブフレームのうちの前半の５個、または、後半の５個のサブフレームのいずれかを含んで構成され、前記上位層パラメータに従って前記送信された１つ以上の初期信号ブロックを想定し、前記送信された１つ以上の初期信号ブロックに用いられるリソースエレメントは、前記ＰＤＳＣＨに利用できないと想定し、前記上記層パラメータのｎ番目のビットが１にセットされることは、（ｎ−１＋ＮＱ＊ｍ）のインデックスの初期信号ブロックが送信されたと想定する受信部と、を備え、前記ｍ＝（０、…、Ｆｌｏｏｒ（ＮＳＳＢ÷ＮＱ，１））である、または、前記ｍは前記ＮＳＳＢを前記ＮＱで割った商以下の０を含む自然数の集合である。
【０００８】
（３）本発明の第３の態様は、基地局装置であって、上位層パラメータ（ssbPositionInBurst）の設定を行う設定部と、ＰＤＳＣＨを送信する送信部と、を備え、前記上位層パラメータに含まれるｎ番目のビットは、ｎ番目の初期信号ブロックグループに対応し、前記ｎ番目の初期信号ブロックグループは、第１のインデックスがｎである、１または複数の初期信号ブロックを含み、前記１または複数の初期信号ブロックのいずれかに対する第２のインデックスがＸである場合、前記１または複数の初期信号ブロックの前記いずれかに対する前記第１のインデックスは、ＸをＮＱで除算することによって得られるあまりに、Ｙが加算されることに少なくとも基づき与えられ、前記第２のインデックスは、前記１または複数の初期信号ブロックの前記いずれかに含まれるＰＢＣＨ、および／または、前記ＰＢＣＨに関連するＤＭＲＳに少なくとも基づき与えられ、前記ＰＤＳＣＨの複素変調シンボルのブロックは、前記ＰＤＳＣＨのために割り当てられるリソースのうち、送信される初期信号ブロックにマップされず、前記上位層パラメータに含まれるｎ番目のビットが所定の値にセットされている場合に、前記送信される初期信号ブロックは、前記ｎ番目の初期信号ブロックグループに含まれる前記１または複数の初期信号ブロックを含む。
【０００９】
（４）本発明の第４の態様は、端末装置に用いられる通信方法であって、上位層パラメータ（ssbPositionInBurst）の設定を行うステップと、ＰＤＳＣＨを受信するステップと、を備え、前記上位層パラメータに含まれるｎ番目のビットは、ｎ番目の初期信号ブロックグループに対応し、前記ｎ番目の初期信号ブロックグループは、第１のインデックスがｎである、１または複数の初期信号ブロックを含み、前記１または複数の初期信号ブロックのいずれかに対する第２のインデックスがＸである場合、前記１または複数の初期信号ブロックの前記いずれかに対する前記第１のインデックスは、ＸをＮＱで除算することによって得られるあまりに、Ｙが加算されることに少なくとも基づき与えられ、前記第２のインデックスは、前記１または複数の初期信号ブロックの前記いずれかに含まれるＰＢＣＨ、および／または、前記ＰＢＣＨに関連するＤＭＲＳに少なくとも基づき与えられ、前記ＰＤＳＣＨの複素変調シンボルのブロックは、前記ＰＤＳＣＨのために割り当てられるリソースのうち、送信される初期信号ブロックにマップされず、前記上位層パラメータに含まれるｎ番目のビットが所定の値にセットされている場合に、前記送信される初期信号ブロックは、前記ｎ番目の初期信号ブロックグループに含まれる前記１または複数の初期信号ブロックを含む。
【００１０】
（５）本発明の第５の態様は、端末装置に用いられる通信方法であって、上位層パラメータ（ssbPositionInBurst）の設定を行うステップと、ＮＳＳＢ個の初期信号ブロックから構成される初期信号において送信された１つ以上の前記初期信号ブロックの時間領域位置を示す前記上位層パラメータを受信するステップとＰＤＳＣＨを受信するステップと、ここで、前記Ｎは、ハーフ無線フレームに含まれる初期信号ブロックの候補の数であり、前記ハーフ無線フレームは、無線フレームに含まれる１０個のサブフレームのうちの前半の５個、または、後半の５個のサブフレームのいずれかを含んで構成され、前記上位層パラメータに従って前記送信された１つ以上の初期信号ブロックを想定するステップと、前記送信された１つ以上の初期信号ブロックに用いられるリソースエレメントは、前記ＰＤＳＣＨに利用できないと想定するステップと、前記上記層パラメータのｎ番目のビットが１にセットされることは、（ｎ−１＋ＮＱ＊ｍ）のインデックスの初期信号ブロックが送信されたと想定するステップと、を備え、前記ｍ＝（０、…、Ｆｌｏｏｒ（ＮＳＳＢ÷ＮＱ，１））である、または、前記ｍは前記ＮＳＳＢを前記ＮＱで割った商以下の０を含む自然数の集合である。
【００１１】
（６）本発明の第６の態様は、基地局装置に用いられる通信方法であって、上位層パラメータ（ssbPositionInBurst）の設定を行うステップと、ＰＤＳＣＨを送信するステップと、を備え、前記上位層パラメータに含まれるｎ番目のビットは、ｎ番目の初期信号ブロックグループに対応し、前記ｎ番目の初期信号ブロックグループは、第１のインデックスがｎである、１または複数の初期信号ブロックを含み、前記１または複数の初期信号ブロックのいずれかに対する第２のインデックスがＸである場合、前記１または複数の初期信号ブロックの前記いずれかに対する前記第１のインデックスは、ＸをＮＱで除算することによって得られるあまりに、Ｙが加算されることに少なくとも基づき与えられ、前記第２のインデックスは、前記１または複数の初期信号ブロックの前記いずれかに含まれるＰＢＣＨ、および／または、前記ＰＢＣＨに関連するＤＭＲＳに少なくとも基づき与えられ、前記ＰＤＳＣＨの複素変調シンボルのブロックは、前記ＰＤＳＣＨのために割り当てられるリソースのうち、送信される初期信号ブロックにマップされず、前記上位層パラメータに含まれるｎ番目のビットが所定の値にセットされている場合に、前記送信される初期信号ブロックは、前記ｎ番目の初期信号ブロックグループに含まれる前記１または複数の初期信号ブロックを含む。
【発明の効果】
【００１２】
この発明によれば、端末装置は効率的に通信を行うことができる。また、基地局装置は効率的に通信を行うことができる。
【図面の簡単な説明】
【００１３】
【図１】本実施形態の一態様に係る無線通信システムの概念図である。
【図２】本実施形態の一態様に係るＮｓｌｏｔｓｙｍｂ、サブキャリア間隔の設定μ、および、ＣＰ設定の関係を示す一例である。
【図３】本実施形態の一態様に係るサブフレームにおけるリソースグリッドの一例を示す概略図である。
【図４】本実施形態の一態様に係るＰＵＣＣＨフォーマットとＰＵＣＣＨフォーマットの長さＮＰＵＣＣＨｓｙｍｂの関係の一例を示す図である。
【図５】本実施形態の一態様に係る探索領域セットの監視機会の一例を示す図である。
【図６】本実施形態の一態様に係る端末装置１の構成を示す概略ブロック図である。
【図７】本実施形態の一態様に係る基地局装置３の構成を示す概略ブロック図である。
【図８】本実施形態の一態様に係るＳＳ／ＰＢＣＨブロックの候補のマッピングの一例を示す図である。
【図９】本実施形態の一態様に係るＳＳ／ＰＢＣＨブロックの送信の一例を示す図である。
【発明を実施するための形態】
【００１４】
以下、本発明の実施形態について説明する。
【００１５】
“Ａ、および／または、Ｂ”は、“Ａ”、“Ｂ”、または“ＡおよびＢ”を含む用語であってもよい。
【００１６】
図１は、本実施形態の一態様に係る無線通信システムの概念図である。図１において、無線通信システムは、端末装置１Ａ〜１Ｃ、および基地局装置３（BS#3: Base station#3）を具備する。以下、端末装置１Ａ〜１Ｃを端末装置１（UE#1: User Equipment#1）とも呼称する。
【００１７】
基地局装置３は、ＭＣＧ（Master Cell Group）、および、ＳＣＧ（Secondary Cell Group）の一方または両方を含んで構成されてもよい。ＭＣＧは、少なくともＰＣｅｌｌ（Primary Cell）を含んで構成されるサービングセルのグループである。ＳＣＧは、少なくともＰＳＣｅｌｌ（Primary Secondary Cell）を含んで構成されるサービングセルのグループである。ＰＣｅｌｌは、初期接続に基づき与えられるサービングセルであってもよい。ＰＣｅｌｌは、初期接続が実施されるサービングセルであってもよい。ＭＣＧは、１または複数のＳＣｅｌｌ（Secondary Cell）を含んで構成されてもよい。ＳＣＧは、１または複数のＳＣｅｌｌを含んで構成されてもよい。ＰＣｅｌｌは、プライマリセルとも呼称される。ＰＳＣｅｌｌは、プライマリセカンダリセルとも呼称される。ＳＣｅｌｌは、セカンダリセルとも呼称される。
【００１８】
ＭＣＧは、ＥＵＴＲＡ上のサービングセルで構成されてもよい。ＳＣＧは、次世代規格（NR: New Radio）上のサービングセルで構成されてもよい。
【００１９】
以下、フレーム構成について説明する。
【００２０】
本実施形態の一態様に係る無線通信システムにおいて、ＯＦＤＭ（Orthogonal Frequency Division Multiplex）が少なくとも用いられる。ＯＦＤＭシンボルは、ＯＦＤＭの時間領域の単位である。ＯＦＤＭシンボルは、少なくとも１または複数のサブキャリア（subcarrier）を含む。ＯＦＤＭシンボルは、ベースバンド信号生成において時間連続信号（time―continuous signal）に変換される。下りリンクにおいて、ＣＰ−ＯＦＤＭ（Cyclic Prefix ― Orthogonal Frequency Division Multiplex）が少なくとも用いられる。上りリンクにおいて、ＣＰ−ＯＦＤＭ、または、ＤＦＴ−ｓ−ＯＦＤＭ（Discrete Fourier Transform ― spread ― Orthogonal Frequency Division Multiplex）のいずれかが用いられる。ＤＦＴ−ｓ−ＯＦＤＭは、ＣＰ−ＯＦＤＭに対して変形プレコーディング（Transform precoding）が適用されることで与えられてもよい。
【００２１】
ＯＦＤＭシンボルは、ＯＦＤＭシンボルに付加されるＣＰを含んだ呼称であってもよい。つまり、あるＯＦＤＭシンボルは、該あるＯＦＤＭシンボルと、該あるＯＦＤＭシンボルに付加されるＣＰを含んで構成されてもよい。
【００２２】
サブキャリア間隔（SCS: SubCarrier Spacing）は、サブキャリア間隔Δｆ＝２μ・１
５ｋＨｚによって与えられてもよい。例えば、サブキャリア間隔の設定（subcarrier spacing configuration）μは０、１、２、３、４、および／または、５のいずれかに設定されてもよい。あるＢＷＰ（BandWidth Part）のために、サブキャリア間隔の設定μが上位層のパラメータにより与えられてもよい。
【００２３】
本実施形態の一態様に係る無線通信システムにおいて、時間領域の長さの表現のために時間単位（タイムユニット）Ｔｃが用いられてもよい。時間単位Ｔｃは、Ｔｃ＝１／（Δｆｍａｘ・Ｎｆ）で与えられてもよい。Δｆｍａｘは、本実施形態の一態様に係る無線通
信システムにおいてサポートされるサブキャリア間隔の最大値であってもよい。Δｆｍａｘは、Δｆｍａｘ＝４８０ｋＨｚであってもよい。Ｎｆは、Ｎｆ＝４０９６であってもよい。定数κは、κ＝Δｆｍａｘ・Ｎｆ／（ΔｆｒｅｆＮｆ，ｒｅｆ）＝６４である。Δｆｒｅｆは、１５ｋＨｚであってもよい。Ｎｆ，ｒｅｆは、２０４８であってもよい。
【００２４】
定数κは、参照サブキャリア間隔とＴｃの関係を示す値であってもよい。定数κはサブフレームの長さのために用いられてもよい。定数κに少なくとも基づき、サブフレームに含まれるスロットの数が与えられてもよい。Δｆｒｅｆは、参照サブキャリア間隔であり、Ｎｆ，ｒｅｆは、参照サブキャリア間隔に対応する値である。
【００２５】
下りリンクにおける信号の送信、および／または、上りリンクにおける信号の送信は、１０ｍｓのフレームにより編成されてもよい（organized into）。フレームは、１０個のサブフレームを含んで構成される。サブフレームの長さは１ｍｓである。フレームの長さは、サブキャリア間隔Δｆに関わらず与えられてもよい。つまり、フレームの長さはμに関わらず与えられてもよい。サブフレームの長さは、サブキャリア間隔Δｆに関わらず与えられてもよい。つまり、サブフレームの長さはμに関わらず与えられてもよい。
【００２６】
あるサブキャリア間隔の設定μのために、サブフレームに含まれるスロットの数とインデックスが与えられてもよい。例えば、スロット番号ｎμｓは、サブフレームにおいて０からＮｓｕｂｆｒａｍｅ，μｓｌｏｔ−１の範囲の整数値で昇順に与えられてもよい。サブキャリア間隔の設定μのために、フレームに含まれるスロットの数とインデックスが与えられてもよい。また、スロット番号ｎμｓ，ｆは、フレームにおいて０からＮｆｒａｍｅ，μｓｌｏｔ−１の範囲の整数値で昇順に与えられてもよい。連続するＮｓｌｏｔｓｙｍｂ個のＯＦＤＭシンボルが１つのスロットに含まれてもよい。Ｎｓｌｏｔｓｙｍｂは、および／または、ＣＰ（Cyclic Prefix）設定の一部または全部に少なくとも基づき与えられてもよい。ＣＰ設定は、上位層のパラメータに少なくとも基づき与えられてもよい。ＣＰ設定は、専用ＲＲＣシグナリングに少なくとも基づき与えられてもよい。スロット番号は、スロットインデックスとも呼称される。
【００２７】
図２は、本実施形態の一態様に係るＮｓｌｏｔｓｙｍｂ、サブキャリア間隔の設定μ、および、ＣＰ設定の関係を示す一例である。図２Ａにおいて、例えば、サブキャリア間隔の設定μが２であり、ＣＰ設定がノーマルＣＰ（normal cyclic prefix）である場合、Ｎｓｌｏｔｓｙｍｂ＝１４、Ｎｆｒａｍｅ，μｓｌｏｔ＝４０、Ｎｓｕｂｆｒａｍｅ，μｓｌｏｔ＝４である。また、図２Ｂにおいて、例えば、サブキャリア間隔の設定μが２であり、ＣＰ設定が拡張ＣＰ（extended cyclic prefix）である場合、Ｎｓｌｏｔｓｙｍｂ＝１２、Ｎｆｒａｍｅ，μｓｌｏｔ＝４０、Ｎｓｕｂｆｒａｍｅ，μｓｌｏｔ＝４である。
【００２８】
以下、物理リソースについて説明を行う。
【００２９】
アンテナポートは、１つのアンテナポートにおいてシンボルが伝達されるチャネルが、同一のアンテナポートにおいてその他のシンボルが伝達されるチャネルから推定できることによって定義されてもよい。１つのアンテナポートにおいてシンボルが伝達されるチャネルの大規模特性（large scale property）が、もう一つのアンテナポートにおいてシンボルが伝達されるチャネルから推定できる場合、２つのアンテナポートはＱＣＬ（Quasi Co-Located）であると呼称される。大規模特性は、チャネルの長区間特性を少なくとも含んでもよい。大規模特性は、遅延拡がり（delay spread）、ドップラー拡がり（Doppler spread）、ドップラーシフト（Doppler shift）、平均利得（average gain）、平均遅延
（average delay）、および、ビームパラメータ（spatial Rx parameters）の一部または全部を少なくとも含んでもよい。第１のアンテナポートと第２のアンテナポートがビームパラメータに関してＱＣＬであるとは、第１のアンテナポートに対して受信側が想定する
受信ビームと第２のアンテナポートに対して受信側が想定する受信ビームとが同一であることであってもよい。第１のアンテナポートと第２のアンテナポートがビームパラメータに関してＱＣＬであるとは、第１のアンテナポートに対して受信側が想定する送信ビームと第２のアンテナポートに対して受信側が想定する送信ビームとが同一であることであってもよい。端末装置１は、１つのアンテナポートにおいてシンボルが伝達されるチャネルの大規模特性が、もう一つのアンテナポートにおいてシンボルが伝達されるチャネルから推定できる場合、２つのアンテナポートはＱＣＬであることが想定されてもよい。２つのアンテナポートがＱＣＬであることは、２つのアンテナポートがＱＣＬであることが想定されることであってもよい。
【００３０】
サブキャリア間隔の設定とキャリアのセットのために、Ｎｓｉｚｅ，μｇｒｉｄ，ｘＮＲＢｓｃ個のサブキャリアとＮｓｕｂｆｒａｍｅ，μｓｙｍｂ個のＯＦＤＭシンボルで定義されるリソースグリッドが与えられる。Ｎｓｉｚｅ，μｇｒｉｄ，ｘは、キャリアｘのためのサブキャリア間隔の設定μのために与えられるリソースブロック数を示してもよい。Ｎｓｉｚｅ，μｇｒｉｄ，ｘは、キャリアの帯域幅を示してもよい。Ｎｓｉｚｅ，μｇｒｉｄ，ｘは、上位層のパラメータＣａｒｒｉｅｒＢａｎｄｗｉｄｔｈの値に対応してもよい。キャリアｘは下りリンクキャリアまたは上りリンクキャリアのいずれかを示してもよい。つまり、ｘは“ＤＬ”、または、“ＵＬ”のいずれかであってもよい。ＮＲＢｓｃは、１つのリソースブロックに含まれるサブキャリア数を示してもよい。ＮＲＢｓｃは１２であってもよい。アンテナポートｐごとに、および／または、サブキャリア間隔の設定μごとに、および／または、送信方向（Transmission direction）の設定ごとに少なくとも１つのリソースグリッドが与えられてもよい。送信方向は、少なくとも下りリンク（DL: DownLink）および上りリンク（UL: UpLink）を含む。以下、アンテナポートｐ、サブキャリア間隔の設定μ、および、送信方向の設定の一部または全部を少なくとも含むパラメータのセットは、第１の無線パラメータセットとも呼称される。つまり、リソースグリッドは、第１の無線パラメータセットごとに１つ与えられてもよい。
【００３１】
下りリンクにおいて、サービングセルに含まれるキャリアを下りリンクキャリア（または、下りリンクコンポーネントキャリア）と称する。上りリンクにおいて、サービングセルに含まれるキャリアを上りリンクキャリア（上りリンクコンポーネントキャリア）と称する。下りリンクコンポーネントキャリア、および、上りリンクコンポーネントキャリアを総称して、コンポーネントキャリア（または、キャリア）と称する。
【００３２】
サービングセルのタイプは、ＰＣｅｌｌ、ＰＳＣｅｌｌ、および、ＳＣｅｌｌのいずれかであってもよい。ＰＣｅｌｌは、初期接続においてＳＳ／ＰＢＣＨから取得されるセルＩＤに少なくとも基づき識別されるサービングセルであってもよい。ＰＣｅｌｌは、ＲＡＣＨリソースが少なくとも設定されてもよい。ＳＣｅｌｌは、キャリアアグリゲーションにおいて用いられるサービングセルであってもよい。ＳＣｅｌｌは、専用ＲＲＣシグナリングに少なくとも基づき与えられるサービングセルであってもよい。
【００３３】
第１の無線パラメータセットごとに与えられるリソースグリッドの中の各要素は、リソースエレメントと呼称される。リソースエレメントは周波数領域のインデックスｋｓｃと、時間領域のインデックスｌｓｙｍに少なくとも基づき特定される。ある第１の無線パラメータセットのために、リソースエレメントは周波数領域のインデックスｋｓｃと、時間領域のインデックスｌｓｙｍに少なくとも基づき特定される。周波数領域のインデックスｋｓｃと時間領域のインデックスｌｓｙｍにより特定されるリソースエレメントは、リソースエレメント（ｋｓｃ、ｌｓｙｍ）とも呼称される。周波数領域のインデックスｋｓｃは、０からＮμＲＢＮＲＢｓｃ−１のいずれかの値を示す。ＮμＲＢはサブキャリア間隔の設定μのために与えられるリソースブロック数であってもよい。ＮμＲＢは、Ｎｓｉｚｅ，μｇｒｉｄ，ｘであってもよい。ＮＲＢｓｃは、リソースブロックに含まれるサブキ
ャリア数であり、ＮＲＢｓｃ＝１２である。周波数領域のインデックスｋｓｃは、サブキャリアインデックスｋｓｃに対応してもよい。時間領域のインデックスｌｓｙｍは、ＯＦＤＭシンボルインデックスｌｓｙｍに対応してもよい。
【００３４】
図３は、本実施形態の一態様に係るサブフレームにおけるリソースグリッドの一例を示す概略図である。図３のリソースグリッドにおいて、横軸は時間領域のインデックスｌｓｙｍであり、縦軸は周波数領域のインデックスｋｓｃである。１つのサブフレームにおいて、リソースグリッドの周波数領域はＮμＲＢＮＲＢｓｃ個のサブキャリアを含む。１つのサブフレームにおいて、リソースグリッドの時間領域は１４・２μ個のＯＦＤＭシンボルを含んでもよい。１つのリソースブロックは、ＮＲＢｓｃ個のサブキャリアを含んで構成される。リソースブロックの時間領域は、１ＯＦＤＭシンボルに対応してもよい。リソースブロックの時間領域は、１４ＯＦＤＭシンボルに対応してもよい。リソースブロックの時間領域は、１または複数のスロットに対応してもよい。リソースブロックの時間領域は、１つのサブフレームに対応してもよい。
【００３５】
端末装置１は、リソースグリッドのサブセットのみを用いて送受信を行うことが指示されてもよい。リソースグリッドのサブセットは、ＢＷＰとも呼称され、ＢＷＰは上位層のパラメータ、および／または、ＤＣＩの一部または全部に少なくとも基づき与えられてもよい。ＢＷＰはキャリアバンドパート（Carrier Bandwidth Part）とも呼称される。ＢＷＰはバンドパートとも呼称される。端末装置１は、リソースグリッドのすべてのセットを用いて送受信を行なうことが指示されなくてもよい。端末装置１は、リソースグリッド内の一部の周波数リソースを用いて送受信を行なうことが指示されてもよい。１つのＢＷＰは、周波数領域における複数のリソースブロックから構成されてもよい。１つのＢＷＰは、周波数領域において連続する複数のリソースブロックから構成されてもよい。下りリンクキャリアに対して設定されるＢＷＰは、下りリンクＢＷＰとも呼称される。上りリンクキャリアに対して設定されるＢＷＰは、上りリンクＢＷＰとも呼称される。ＢＷＰは、キャリアの帯域のサブセットであってもよい。
【００３６】
サービングセルのそれぞれに対して１または複数の下りリンクＢＷＰが設定されてもよい。サービングセルのそれぞれに対して１または複数の上りリンクＢＷＰが設定されてもよい。
【００３７】
サービングセルに対して設定される１または複数の下りリンクＢＷＰのうち、１つの下りリンクＢＷＰがアクティブ下りリンクＢＷＰに設定されてもよい（または、アクティベートされてもよい）。下りリンクのＢＷＰ切り替え（BWP switch）は、１つのアクティブ下りリンクＢＷＰをディアクティベート（deactivate）し、該１つのアクティブ下りリンクＢＷＰ以外のインアクティブ下りリンクＢＷＰをアクティベート（activate）するために用いられる。下りリンクのＢＷＰ切り替えは、下りリンク制御情報に含まれるＢＷＰフィールドにより制御されてもよい。下りリンクのＢＷＰ切り替えは、上位層のパラメータに基づき制御されてもよい。
【００３８】
アクティブ下りリンクＢＷＰにおいて、ＤＬ−ＳＣＨが受信されてもよい。アクティブ下りリンクＢＷＰにおいて、ＰＤＣＣＨがモニタされてもよい。アクティブ下りリンクＢＷＰにおいて、ＰＤＳＣＨが受信されてもよい。アクティブ下りリンクＢＷＰの外において、ＰＤＳＣＨ、ＰＤＣＣＨ、および、ＣＳＩ−ＲＳの一部または全部が受信されなくてもよい。
【００３９】
インアクティブ下りリンクＢＷＰにおいて、ＤＬ−ＳＣＨが受信されなくてもよい。インアクティブ下りリンクＢＷＰにおいて、ＰＤＣＣＨがモニタされなくてもよい。インアクティブ下りリンクＢＷＰのためのＣＳＩは報告されなくてもよい。
【００４０】
サービングセルに対して設定される１または複数の下りリンクＢＷＰのうち、２つ以上の下りリンクＢＷＰがアクティブ下りリンクＢＷＰに設定されなくてもよい。ある時間において、１つの下りリンクＢＷＰがアクティブであってもよい。
【００４１】
サービングセルに対して設定される１または複数の上りリンクＢＷＰのうち、１つの上りリンクＢＷＰがアクティブ上りリンクＢＷＰに設定されてもよい（または、アクティベートされてもよい）。上りリンクのＢＷＰ切り替えは、１つのアクティブ上りリンクＢＷＰをディアクティベート（deactivate）し、該１つのアクティブ上りリンクＢＷＰ以外のインアクティブ上りリンクＢＷＰをアクティベート（activate）するために用いられる。上りリンクのＢＷＰ切り替えは、下りリンク制御情報に含まれるＢＷＰフィールドにより制御されてもよい。上りリンクのＢＷＰ切り替えは、上位層のパラメータに基づき制御されてもよい。
【００４２】
アクティブ上りリンクＢＷＰにおいて、ＵＬ−ＳＣＨが送信されてもよい。アクティブ上りリンクＢＷＰにおいて、ＰＵＣＣＨが送信されてもよい。アクティブ上りリンクＢＷＰにおいて、ＰＲＡＣＨが送信されてもよい。アクティブ上りリンクＢＷＰにおいて、ＳＲＳが送信されてもよい。アクティブ上りリンクＢＷＰの外で、ＰＵＳＣＨ、および、ＰＵＣＣＨの一部または全部が送信されなくてもよい。
【００４３】
インアクティブ上りリンクＢＷＰにおいて、ＵＬ−ＳＣＨが送信されない。インアクティブ上りリンクＢＷＰにおいて、ＰＵＣＣＨが送信されない。インアクティブ上りリンクＢＷＰにおいて、ＰＲＡＣＨが送信されない。インアクティブ上りリンクＢＷＰにおいて、ＳＲＳが送信されない。
【００４４】
サービングセルに対して設定される１または複数の上りリンクＢＷＰのうち、２つ以上の上りリンクＢＷＰがアクティブ上りリンクＢＷＰに設定されなくてもよい。ある時間において、１つの上りリンクＢＷＰがアクティブであってもよい。
【００４５】
上位層のパラメータ（上位層パラメータ）は、上位層の信号に含まれるパラメータである。上位層の信号は、ＲＲＣ（Radio Resource Control）シグナリングであってもよいし、ＭＡＣ  ＣＥ（Medium Access Control Control Element）であってもよい。ここで、上位層の信号は、ＲＲＣ層の信号であってもよいし、ＭＡＣ層の信号であってもよい。
【００４６】
上位層の信号は、共通ＲＲＣシグナリング（common RRC signaling）であってもよい。共通ＲＲＣシグナリングは、以下の特徴Ｃ１から特徴Ｃ３の一部または全部を少なくとも備えてもよい。
特徴Ｃ１）ＢＣＣＨロジカルチャネル、または、ＣＣＣＨロジカルチャネルにマップされる
特徴Ｃ２）ＲｅｃｏｎｆｉｇｒａｔｉｏｎＷｉｔｈＳｙｎｃ情報要素を少なくとも含む
特徴Ｃ３）ＰＢＣＨにマップされる、および／または、システム情報である
【００４７】
ＲｅｃｏｎｆｉｇｕｒａｔｉｏｎＷｉｔｈＳｙｎｃ情報要素は、サービングセルにおいて共通に用いられる設定を示す情報を含んでもよい。サービングセルにおいて共通に用いられる設定は、ＰＲＡＣＨの設定を少なくとも含んでもよい。該ＰＲＡＣＨの設定は、１または複数のランダムアクセスプリアンブルインデックスを少なくとも示してもよい。該ＰＲＡＣＨの設定は、ＰＲＡＣＨの時間／周波数リソースを少なくとも示してもよい。
【００４８】
共通ＲＲＣシグナリングは、共通ＲＲＣパラメータを少なくとも含んでもよい。共通ＲＲＣパラメータは、サービングセル内において共通に用いられる（Cell-specific）パラ
メータであってもよい。
【００４９】
上位層の信号は、専用ＲＲＣシグナリング（dedicated RRC signaling）であってもよ
い。専用ＲＲＣシグナリングは、以下の特徴Ｄ１からＤ２の一部または全部を少なくとも備えてもよい。
特徴Ｄ１）ＤＣＣＨロジカルチャネルにマップされる
特徴Ｄ２）ＲｅｃｏｎｆｉｇｒａｔｉｏｎＷｉｔｈＳｙｎｃ情報要素を含まない
【００５０】
例えば、ＭＩＢ（Master Information Block）、および、ＳＩＢ（System Information
Block）は共通ＲＲＣシグナリングであってもよい。また、ＤＣＣＨロジカルチャネルにマップされ、かつ、ＲｅｃｏｎｆｉｇｒａｔｉｏｎＷｉｔｈＳｙｎｃ情報要素を少なくとも含む上位層のメッセージは、共通ＲＲＣシグナリングであってもよい。また、ＤＣＣＨロジカルチャネルにマップされ、かつ、ＲｅｃｏｎｆｉｇｒａｔｉｏｎＷｉｔｈＳｙｎｃ情報要素を含まない上位層のメッセージは、専用ＲＲＣシグナリングに含まれてもよい。
【００５１】
ＳＩＢは、ＳＳ（Synchronization Signal）ブロックの時間インデックスを少なくとも示してもよい。ＳＳブロック（SS block）は、ＳＳ／ＰＢＣＨブロック（SS/PBCH block
）とも呼称される。ＳＳブロックは、初期信号ブロックとも呼称される。ＳＩＢは、ＰＲＡＣＨリソースに関連する情報を少なくとも含んでもよい。ＳＩＢは、初期接続の設定に関連する情報を少なくとも含んでもよい。
【００５２】
ＲｅｃｏｎｆｉｇｒａｔｉｏｎＷｉｔｈＳｙｎｃ情報要素は、ＰＲＡＣＨリソース（または、ＲＡＣＨリソース）に関連する情報を少なくとも含んでもよい。ＲｅｃｏｎｆｉｇｒａｔｉｏｎＷｉｔｈＳｙｎｃ情報要素は、ランダムアクセスの設定に関連する情報を少なくとも含んでもよい。
【００５３】
専用ＲＲＣシグナリングは、専用ＲＲＣパラメータを少なくとも含んでもよい。専用ＲＲＣパラメータは、端末装置１に専用に用いられる（UE-specific）パラメータであって
もよい。
【００５４】
共通ＲＲＣパラメータおよび専用ＲＲＣパラメータは、上位層のパラメータとも呼称される。
【００５５】
以下、本実施形態の種々の態様に係る物理チャネルおよび物理シグナルを説明する。
【００５６】
１つの物理チャネルは、１つのサービングセルにマップされてもよい。１つの物理チャネルは、１つのサービングセルに含まれる１つのキャリアに設定される１つのキャリアバンドパートにマップされてもよい。
【００５７】
上りリンク物理チャネルは、上位層において発生する情報を運ぶリソースエレメントのセットに対応してもよい。上りリンク物理チャネルは、上りリンクキャリアにおいて用いられる物理チャネルであってもよい。本実施形態の一態様に係る無線通信システムにおいて、少なくとも下記の一部または全部の上りリンク物理チャネルが用いられてもよい。
・ＰＵＣＣＨ（Physical Uplink Control CHannel）
・ＰＵＳＣＨ（Physical Uplink Shared CHannel）
・ＰＲＡＣＨ（Physical Random Access CHannel）
【００５８】
ＰＵＣＣＨは、上りリンク制御情報（UCI:Uplink Control Information）を送信するために用いられてもよい。上りリンク制御情報は、チャネル状態情報（CSI:Channel State Information）、スケジューリングリクエスト（SR:Scheduling Request）、ＨＡＲＱ−Ａ
ＣＫ（Hybrid Automatic Repeat request ACKnowledgement）情報の一部または全部を含
む。
【００５９】
ＰＵＣＣＨに上りリンク制御情報が多重されてもよい。該多重されたＰＵＣＣＨは送信されてもよい。
【００６０】
上りリンク制御情報は、ＰＵＣＣＨにマップされてもよい。
【００６１】
ＨＡＲＱ−ＡＣＫ情報は、トランスポートブロック（TB:Transport block， MAC PDU:Medium Access Control Protocol Data Unit， DL-SCH:Downlink-Shared Channel， UL-SCH:Uplink-Shared Channel， PDSCH:Physical Downlink Shared Channel）に対応するＨＡＲＱ−ＡＣＫビットを少なくとも含んでもよい。ＨＡＲＱ−ＡＣＫビットは、トランスポートブロックに対応するＡＣＫ（acknowledgement）またはＮＡＣＫ（negative-acknowledgement）を示してもよい。ＡＣＫは、該トランスポートブロックの復号が成功裏に完了していることを示す値であってもよい。ＮＡＣＫは、該トランスポートブロックの復号が成功裏に完了していないことを示す値であってもよい。ＨＡＲＱ−ＡＣＫ情報は、１または複数のＨＡＲＱ−ＡＣＫビットを含むＨＡＲＱ−ＡＣＫコードブックに対応してもよい。ＨＡＲＱ−ＡＣＫビットが１または複数のトランスポートブロックに対応することは、ＨＡＲＱ−ＡＣＫビットが該１または複数のトランスポートブロックを含むＰＤＳＣＨに対応することであってもよい。
【００６２】
ＨＡＲＱ−ＡＣＫビットは、トランスポートブロックに含まれる１つのＣＢＧ（Code Block Group）に対応するＡＣＫまたはＮＡＣＫを示してもよい。ＨＡＲＱ−ＡＣＫ情報は、ＨＡＲＱ−ＡＣＫ、ＨＡＲＱフィードバック、ＨＡＲＱ情報、ＨＡＲＱ制御情報、ＨＡＲＱ−ＡＣＫメッセージとも呼称される。
【００６３】
スケジューリングリクエスト（SR: Scheduling Request）は、初期送信（new transmission）のためのＰＵＳＣＨ（または、ＵＬ−ＳＣＨ）のリソースを要求するために少なくとも用いられてもよい。スケジューリングリクエストビットは、正のＳＲ（positive SR）または、負のＳＲ（negative SR）のいずれかを示すために用いられてもよい。スケジューリングリクエストビットが正のＳＲを示すことは、“正のＳＲが送信される”とも呼称される。正のＳＲは、端末装置１によって初期送信のためのＰＵＳＣＨのリソースが要求されることを示してもよい。正のＳＲは、上位層によりスケジューリングリクエストがトリガされることを示してもよい。正のＳＲは、上位層によりスケジューリングリクエストを送信することが指示された場合に、送信されてもよい。スケジューリングリクエストビットが負のＳＲを示すことは、“負のＳＲが送信される”とも呼称される。負のＳＲは、端末装置１によって初期送信のためのＰＵＳＣＨのリソースが要求されないことを示してもよい。負のＳＲは、上位層によりスケジューリングリクエストがトリガされないことを示してもよい。負のＳＲは、上位層によりスケジューリングリクエストを送信することが指示されない場合に、送信されてもよい。
【００６４】
スケジューリングリクエストビットは、１または複数のＳＲ設定（SR configuration）のいずれかに対する正のＳＲ、または、負のＳＲのいずれかを示すために用いられてもよい。該１または複数のＳＲ設定のそれぞれは、１または複数のロジカルチャネルに対応してもよい。あるＳＲ設定に対する正のＳＲは、該あるＳＲ設定に対応する１または複数のロジカルチャネルのいずれかまたは全部に対する正のＳＲであってもよい。負のＳＲは、特定のＳＲ設定に対応しなくてもよい。負のＳＲが示されることは、全てのＳＲ設定に対して負のＳＲが示されることであってもよい。
【００６５】
ＳＲ設定は、スケジューリングリクエストＩＤ（Scheduling Request ID）であっても
よい。スケジューリングリクエストＩＤは、上位層のパラメータにより与えられてもよい。
【００６６】
チャネル状態情報は、チャネル品質指標（CQI: Channel Quality Indicator）、プレコーダ行列指標（PMI:Precoder Matrix Indicator）、および、ランク指標（RI: Rank Indicator）の一部または全部を少なくとも含んでもよい。ＣＱＩは、チャネルの品質（例えば、伝搬強度）に関連する指標であり、ＰＭＩは、プレコーダに関連する指標である。ＲＩは、送信ランク（または、送信レイヤ数）に関連する指標である。
【００６７】
チャネル状態情報は、チャネル測定のために少なくとも用いられる物理信号（例えば、ＣＳＩ−ＲＳ）を受信することに少なくとも基づき与えられてもよい。チャネル状態情報は、端末装置１によって選択される値が含まれてもよい。チャネル状態情報は、チャネル測定のために少なくとも用いられる物理信号を受信することに少なくとも基づき、端末装置１によって選択されてもよい。チャネル測定は、干渉測定を含んでもよい。
【００６８】
チャネル状態情報報告は、チャネル状態情報の報告である。チャネル状態情報報告は、ＣＳＩパート１、および／または、ＣＳＩパート２を含んでもよい。ＣＳＩパート１は、広帯域チャネル品質情報（wideband CQI）、広帯域プレコーダ行列指標（wideband PMI）、ランク指標の一部または全部を少なくとも含んで構成されてもよい。ＰＵＣＣＨに多重されるＣＳＩパート１のビット数は、チャネル状態情報報告のランク指標の値に関わらず所定の値であってもよい。ＰＵＣＣＨに多重されるＣＳＩパート２のビット数は、チャネル状態情報報告のランク指標の値に少なくとも基づき与えられてもよい。チャネル状態情報報告のランク指標は、該チャネル状態情報報告の算出のために用いられるランク指標の値であってもよい。チャネル状態情報のランク指標は、該チャネル状態情報報告に含まれるランク指標フィールドにより示される値であってもよい。
【００６９】
チャネル状態情報報告において許可されるランク指標のセットは、１から８の一部または全部であってもよい。チャネル状態情報報告において許可されるランク指標のセットは、上位層のパラメータＲａｎｋＲｅｓｔｒｉｃｔｉｏｎに少なくとも基づき与えられてもよい。チャネル状態情報報告において許可されるランク指標のセットが１つの値のみを含む場合、該チャネル状態情報報告のランク指標は該１つの値であってもよい。
【００７０】
チャネル状態情報報告に対して、優先度が設定されてもよい。チャネル状態情報報告の優先度は、該チャネル状態情報報告の時間領域のふるまいに関する設定、該チャネル状態情報報告のコンテンツのタイプ、該チャネル状態情報報告のインデックス、および／または、該チャネル状態情報報告の測定が設定されるサービングセルのインデックスの一部または全部に少なくとも基づき与えられてもよい。
【００７１】
チャネル状態情報報告の時間領域のふるまいに関する設定は、該チャネル状態情報報告が非周期的に（aperiodic）行われるか、該チャネル状態情報報告が半永続的に（semi-persistent）行われるか、または、準静的に行われるか、のいずれかを示す設定であってもよい。
【００７２】
チャネル状態情報報告のコンテンツのタイプは、該チャネル状態情報報告がレイヤ１のＲＳＲＰ（Reference Signals Received Power）を含むか否かを示してもよい。
【００７３】
チャネル状態情報報告のインデックスは、上位層のパラメータにより与えられてもよい。
【００７４】
ＰＵＣＣＨは、ＰＵＣＣＨフォーマット（ＰＵＣＣＨフォーマット０からＰＵＣＣＨフ
ォーマット４）をサポートする。ＰＵＣＣＨフォーマットは、ＰＵＣＣＨで送信されてもよい。ＰＵＣＣＨフォーマットが送信されることは、ＰＵＣＣＨが送信されることであってもよい。
【００７５】
図４は、本実施形態の一態様に係るＰＵＣＣＨフォーマットとＰＵＣＣＨフォーマットの長さＮＰＵＣＣＨｓｙｍｂの関係の一例を示す図である。ＰＵＣＣＨフォーマット０の長さＮＰＵＣＣＨｓｙｍｂは、１または２ＯＦＤＭシンボルである。ＰＵＣＣＨフォーマット１の長さＮＰＵＣＣＨｓｙｍｂは、４から１４ＯＦＤＭシンボルのいずれかである。ＰＵＣＣＨフォーマット２の長さＮＰＵＣＣＨｓｙｍｂは、１または２ＯＦＤＭシンボルである。ＰＵＣＣＨフォーマット３の長さＮＰＵＣＣＨｓｙｍｂは、４から１４ＯＦＤＭシンボルのいずれかである。ＰＵＣＣＨフォーマット４の長さＮＰＵＣＣＨｓｙｍｂは、４から１４ＯＦＤＭシンボルのいずれかである。
【００７６】
ＰＵＳＣＨは、トランスポートブロックを送信するために少なくとも用いられる。ＰＵＳＣＨは、トランスポートブロック、ＨＡＲＱ−ＡＣＫ情報、チャネル状態情報、および、スケジューリングリクエストの一部または全部を少なくとも送信するために用いられてもよい。ＰＵＳＣＨは、ランダムアクセスメッセージ３を送信するために少なくとも用いられる。
【００７７】
ＵＬ−ＳＣＨは、ＰＵＳＣＨにマップされてもよい。上りリンク制御情報は、ＰＵＳＣＨにマップされてもよい。
【００７８】
ＰＲＡＣＨは、ランダムアクセスプリアンブル（メッセージ１）を送信するために少なくとも用いられてもよい。ＰＲＡＣＨは、初期コネクション確立（initial connection establishment）プロシージャ、ハンドオーバプロシージャ、コネクション再確立（connection re-establishment）プロシージャ、ＰＵＳＣＨの送信に対する同期（タイミング調整）、およびＰＵＳＣＨ（または、ＵＬ−ＳＣＨ）のためのリソースの要求の一部または全部を示すために少なくとも用いられてもよい。ランダムアクセスプリアンブルは、端末装置１の上位層より与えられるインデックス（ランダムアクセスプリアンブルインデックス）を基地局装置３に通知するために用いられてもよい。
【００７９】
ランダムアクセスプリアンブルは、物理ルートシーケンスインデックスｕに対応するＺａｄｏｆｆ−Ｃｈｕ系列をサイクリックシフトすることによって与えられてもよい。Ｚａｄｏｆｆ−Ｃｈｕ系列は、物理ルートシーケンスインデックスｕに基づいて生成されてもよい。１つのサービングセル（serving cell）において、複数のランダムアクセスプリアンブルが定義されてもよい。ランダムアクセスプリアンブルは、ランダムアクセスプリアンブルのインデックスに少なくとも基づき特定されてもよい。ランダムアクセスプリアンブルの異なるインデックスに対応する異なるランダムアクセスプリアンブルは、物理ルートシーケンスインデックスｕとサイクリックシフトの異なる組み合わせに対応してもよい。物理ルートシーケンスインデックスｕ、および、サイクリックシフトは、システム情報に含まれる情報に少なくとも基づいて与えられてもよい。物理ルートシーケンスインデックスｕは、ランダムアクセスプリアンブルに含まれる系列を識別するインデックスであってもよい。ランダムアクセスプリアンブルは、物理ルートシーケンスインデックスｕに少なくとも基づき特定されてもよい。
【００８０】
上りリンク物理シグナルは、リソースエレメントのセットに対応してもよい。上りリンク物理シグナルは、上位層において発生する情報を運ばなくてもよい。上りリンク物理シグナルは、上りリンクキャリアにおいて用いられる物理シグナルであってもよい。本実施形態の一態様に係る無線通信システムにおいて、少なくとも下記の一部または全部の上りリンク物理シグナルが用いられてもよい。
・ＵＬ  ＤＭＲＳ（UpLink Demodulation Reference Signal）
・ＳＲＳ（Sounding Reference Signal）
・ＵＬ  ＰＴＲＳ（UpLink Phase Tracking Reference Signal）
【００８１】
ＵＬ  ＤＭＲＳは、ＰＵＳＣＨ、および／または、ＰＵＣＣＨの送信に関連する。ＵＬ
ＤＭＲＳは、ＰＵＳＣＨまたはＰＵＣＣＨと多重される。基地局装置３は、ＰＵＳＣＨまたはＰＵＣＣＨの伝搬路補正を行なうためにＵＬ  ＤＭＲＳを使用してよい。以下、ＰＵＳＣＨと、該ＰＵＳＣＨに関連するＵＬ  ＤＭＲＳを共に送信することを、単に、ＰＵＳＣＨを送信する、と称する。以下、ＰＵＣＣＨと該ＰＵＣＣＨに関連するＵＬ  ＤＭＲＳを共に送信することを、単に、ＰＵＣＣＨを送信する、と称する。ＰＵＳＣＨに関連するＵＬ  ＤＭＲＳは、ＰＵＳＣＨ用ＵＬ  ＤＭＲＳとも称される。ＰＵＣＣＨに関連するＵＬ  ＤＭＲＳは、ＰＵＣＣＨ用ＵＬ  ＤＭＲＳとも称される。
【００８２】
ＵＬ  ＤＭＲＳとＰＵＳＣＨが関連することは、ＵＬ  ＤＭＲＳとＰＵＳＣＨが同一のアンテナポートで送信されることであってもよい。ＵＬ  ＤＭＲＳとＰＵＳＣＨが関連することは、ＵＬ  ＤＭＲＳのプレコーダがＰＵＳＣＨのプレコーダと同一であることであってもよい。
【００８３】
ＳＲＳは、上りリンクスロットにおけるサブフレームの最後、または、最後から所定数のＯＦＤＭシンボルにおいて送信されてもよい。
【００８４】
ＵＬ  ＰＴＲＳは、位相トラッキングのために少なくとも用いられる参照信号であってもよい。
【００８５】
下りリンク物理チャネルは、上位層において発生する情報を運ぶリソースエレメントのセットに対応してもよい。下りリンク物理チャネルは、下りリンクキャリアにおいて用いられる物理チャネルであってもよい。本実施形態の一態様に係る無線通信システムにおいて、少なくとも下記の一部または全部の下りリンク物理チャネルが用いられてもよい。
・ＰＢＣＨ（Physical Broadcast Channel）
・ＰＤＣＣＨ（Physical Downlink Control Channel）
・ＰＤＳＣＨ（Physical Downlink Shared Channel）
【００８６】
ＰＢＣＨは、ＭＩＢ、および／または、ＰＢＣＨペイロードを送信するために少なくとも用いられる。ＰＢＣＨペイロードは、ＳＳブロックの送信タイミングに関するインデックスを示す情報を少なくとも含んでもよい。ＰＢＣＨペイロードは、ＳＳブロックの識別子（インデックス）に関連する情報を含んでもよい。ＰＢＣＨは、所定の送信間隔に基づき送信されてもよい。ＰＢＣＨは、８０ｍｓの間隔で送信されてもよい。ＰＢＣＨは、１６０ｍｓの間隔で送信されてもよい。ＰＢＣＨに含まれる情報の中身は、８０ｍｓごとに更新されてもよい。ＰＢＣＨに含まれる情報の一部または全部は、１６０ｍｓごとに更新されてもよい。ＰＢＣＨは、２８８サブキャリアにより構成されてもよい。ＰＢＣＨは、２、３、または、４つのＯＦＤＭシンボルを含んで構成されてもよい。ＭＩＢは、ＳＳブロックの識別子（インデックス）に関連する情報を含んでもよい。ＭＩＢは、ＰＢＣＨが送信されるスロットの番号、サブフレームの番号、および／または、無線フレームの番号の少なくとも一部を指示する情報を含んでもよい。無線フレームは、１０個のサブフレームを含んで構成される。
【００８７】
ＢＣＨは、ＰＢＣＨにマップされてもよい。
【００８８】
ＰＤＣＣＨは、下りリンク制御情報（DCI:Downlink Control Information）の送信のために少なくとも用いられてもよい。ＰＤＣＣＨは、下りリンク制御情報を少なくとも含ん
で送信されてもよい。下りリンク制御情報は、ＤＣＩフォーマットとも呼称される。下りリンク制御情報は、下りリンクアサインメント（downlink assignment）または上りリン
クグラント（uplink grant）のいずれかを少なくとも示してもよい。ＰＤＳＣＨのスケジューリングのために用いられるＤＣＩフォーマットは、下りリンクＤＣＩフォーマットとも呼称される。ＰＵＳＣＨのスケジューリングのために用いられるＤＣＩフォーマットは、上りリンクＤＣＩフォーマットとも呼称される。上りリンクＤＣＩフォーマットは、ＤＣＩフォーマット０＿０およびＤＣＩフォーマット０＿１の一方または両方を少なくとも含む。端末装置１は、１または複数の制御リソースセット（CORESET:COntrol REsource SET）においてＰＤＣＣＨの候補のセットをモニタしてもよい。
【００８９】
下りリンク制御情報は、ＰＤＣＣＨにマップされてもよい。
【００９０】
ＤＣＩフォーマット０＿０は、１Ａから１Ｅの一部または全部を少なくとも含んで構成される。
１Ａ）ＤＣＩフォーマット特定フィールド（Identifier for DCI formats field）
１Ｂ）周波数領域リソース割り当てフィールド（Frequency domain resource assignment
field）
１Ｃ）上りリンクの時間領域リソース割り当てフィールド（Uplink Time domain resource assignment field）
１Ｄ）周波数ホッピングフラグフィールド（Frequency hopping flag field）
１Ｅ）ＭＣＳフィールド（MCS field: Modulation and Coding Scheme field）
【００９１】
ＤＣＩフォーマット特定フィールドは、該ＤＣＩフォーマット特定フィールドを含むＤＣＩフォーマットが上りリンクＤＣＩフォーマットであるか下りリンクＤＣＩフォーマットであるかを示してもよい。ＤＣＩフォーマット０＿０に含まれるＤＣＩフォーマット特定フィールドは、０を示してもよい（または、上りリンクＤＣＩフォーマットであることを示してもよい）。
【００９２】
周波数領域リソース割り当てフィールドは、ＰＵＳＣＨ（または、ＰＤＳＣＨ）のための周波数リソースの割り当てを示すために少なくとも用いられてもよい。
【００９３】
上りリンクの時間領域リソース割り当てフィールドは、ＰＵＳＣＨ（または、ＰＤＳＣＨ）のための時間リソースの割り当てを示すために少なくとも用いられてもよい。
【００９４】
周波数ホッピングフラグフィールドは、ＰＵＳＣＨに対して周波数ホッピングが適用されるか否かを示すために少なくとも用いられてもよい。
【００９５】
ＭＣＳフィールドは、ＰＵＳＣＨ（ＰＤＳＣＨ）のための変調方式、および／または、ターゲット符号化率の一部または全部を示すために少なくとも用いられてもよい。該ターゲット符号化率は、該ＰＵＳＣＨ（または、該ＰＤＳＣＨ）のトランスポートブロックのためのターゲット符号化率であってもよい。該トランスポートブロックのサイズ（TBS: Transport Block Size）は、該ターゲット符号化率に少なくとも基づき与えられてもよい
。
【００９６】
ＤＣＩフォーマット０＿０は、ＣＳＩの要求（ＣＳＩリクエスト）に用いられるフィールドを含まなくてもよい。
【００９７】
ＤＣＩフォーマット０＿１は、２Ａから２Ｈの一部または全部を少なくとも含んで構成される。
２Ａ）ＤＣＩフォーマット特定フィールド
２Ｂ）周波数領域リソース割り当てフィールド
２Ｃ）上りリンクの時間領域リソース割り当てフィールド
２Ｄ）周波数ホッピングフラグフィールド
２Ｅ）ＭＣＳフィールド
２Ｆ）ＣＳＩリクエストフィールド（Second CSI request field）
２Ｇ）ＢＷＰフィールド（BWP field）
２Ｈ）ＵＬ  ＤＡＩフィールド（Up link Downlink Assignment Indicator field）
【００９８】
ＤＣＩフォーマット０＿１に含まれるＤＣＩフォーマット特定フィールドは、０を示してもよい。
【００９９】
ＢＷＰフィールドは、ＰＵＳＣＨがマップされる上りリンクＢＷＰを指示するために用いられてもよい。ＢＷＰフィールドは、ＰＤＳＣＨがマップされる下りリンクＢＷＰを指示するために用いられてもよい。
【０１００】
ＣＳＩリクエストフィールドは、ＣＳＩの報告を指示するために少なくとも用いられる。第２のＣＳＩリクエストフィールドのサイズは、上位層のパラメータＲｅｐｏｒｔＴｒｉｇｇｅｒＳｉｚｅに少なくとも基づき与えられてもよい。
【０１０１】
ＵＬ  ＤＡＩフィールドは、ＨＡＲＱ−ＡＣＫ情報のコードブックの生成のために少なくとも用いられてもよい。ＶＵＬＤＡＩは、ＵＬ  ＤＡＩフィールドの値に少なくとも基づき与えられてもよい。ＶＵＬＤＡＩは、ＵＬ  ＤＡＩとも呼称される。
【０１０２】
下りリンクＤＣＩフォーマットは、ＤＣＩフォーマット１＿０、および、ＤＣＩフォーマット１＿１の一方または両方を少なくとも含む。
【０１０３】
ＤＣＩフォーマット１＿０は、３Ａから３Ｉの一部または全部を少なくとも含んで構成される。
３Ａ）ＤＣＩフォーマット特定フィールド（Identifier for DCI formats field）
３Ｂ）周波数領域リソース割り当てフィールド（Frequency domain resource assignment
field）
３Ｃ）下りリンクの時間領域リソース割り当てフィールド（Downlink Time domain resource assignment field）
３Ｄ）周波数ホッピングフラグフィールド（Frequency hopping flag field）
３Ｅ）ＭＣＳフィールド（MCS field: Modulation and Coding Scheme field）
３Ｆ）第１のＣＳＩリスエストフィールド（First CSI request field）
３Ｇ）ＰＤＳＣＨからＨＡＲＱフィードバックへのタイミング指示フィールド（PDSCH to
HARQ feedback timing indicator field）
３Ｈ）ＰＵＣＣＨリソース指示フィールド（PUCCH resource indicator field）
３Ｉ）カウンターＤＡＩフィールド（Counter Downlink Assignment Indicator field）
【０１０４】
ＤＣＩフォーマット１＿０に含まれるＤＣＩフォーマット特定フィールドは、１を示してもよい（または、下りリンクＤＣＩフォーマットであることを示してもよい）。
【０１０５】
下りリンクの時間領域リソース割り当てフィールドは、タイミングＫ０、ＤＭＲＳのマッピングタイプ、ＰＤＳＣＨがマップされるＯＦＤＭシンボルの一部または全部を少なくとも示すために用いられてもよい。ＰＤＣＣＨが含まれるスロットのインデックスがスロットｎである場合、該ＰＤＳＣＨが含まれるスロットのインデックスはｎ＋Ｋ０であってもよい。
【０１０６】
ＰＤＳＣＨからＨＡＲＱフィードバックへのタイミング指示フィールドは、タイミングＫ１を示すフィールドであってもよい。ＰＤＳＣＨの最後のＯＦＤＭシンボルが含まれるスロットのインデックスがスロットｎである場合、該ＰＤＳＣＨに含まれるトランスポートブロックに対応するＨＡＲＱ−ＡＣＫを少なくとも含むＰＵＣＣＨまたはＰＵＳＣＨが含まれるスロットのインデックスはｎ＋Ｋ１であってもよい。ＰＤＳＣＨの最後のＯＦＤＭシンボルが含まれるスロットのインデックスがスロットｎである場合、該ＰＤＳＣＨに含まれるトランスポートブロックに対応するＨＡＲＱ−ＡＣＫを少なくとも含むＰＵＣＣＨの先頭のＯＦＤＭシンボルまたはＰＵＳＣＨの先頭のＯＦＤＭシンボルが含まれるスロットのインデックスはｎ＋Ｋ１であってもよい。
【０１０７】
ＰＵＣＣＨリソース指示フィールドは、ＰＵＣＣＨリソースセットに含まれる１または複数のＰＵＣＣＨリソースのうちのいずれかのインデックスを示すフィールドであってもよい。
【０１０８】
カウンターＤＡＩフィールドは、ＨＡＲＱ−ＡＣＫ情報のコードブックの生成のために少なくとも用いられてもよい。ＶＤＬＣ−ＤＡＩ，ｃ，ｍは、カウンターＤＡＩフィールドの値に少なくとも基づき与えられてもよい。ＶＤＬＣ−ＤＡＩ，ｃ，ｍは、カウンターＤＡＩとも呼称される。
【０１０９】
ＤＣＩフォーマット１＿１は、４Ａから４Ｉの一部または全部を少なくとも含んで構成される。
４Ａ）ＤＣＩフォーマット特定フィールド（Identifier for DCI formats field）
４Ｂ）周波数領域リソース割り当てフィールド（Frequency domain resource assignment
field）
４Ｃ）下りリンクの時間領域リソース割り当てフィールド（Time domain resource assignment field）
４Ｄ）周波数ホッピングフラグフィールド（Frequency hopping flag field）
４Ｅ）ＭＣＳフィールド（MCS field: Modulation and Coding Scheme field）
４Ｆ）ＰＤＳＣＨからＨＡＲＱフィードバックへのタイミング指示フィールド（PDSCH to
HARQ feedback timing indicator field）
４Ｇ）ＰＵＣＣＨリソース指示フィールド（PUCCH resource indicator field）
４Ｈ）ＢＷＰフィールド（BWP field）
４Ｉ）ＤＡＩフィールド（Downlink Assignment Indicator field）
【０１１０】
ＤＣＩフォーマット１＿１に含まれるＤＣＩフォーマット特定フィールドは、１を示してもよい（または、下りリンクＤＣＩフォーマットであることを示してもよい）。
【０１１１】
ＤＡＩフィールドは、ＨＡＲＱ−ＡＣＫ情報のコードブックの生成のために少なくとも用いられてもよい。ＶＤＬＴ−ＤＡＩ，ｍは、ＤＡＩフィールドの値に少なくとも基づき与えられてもよい。ＶＤＬＣ−ＤＡＩ，ｃ，ｍは、ＤＡＩフィールドの値に少なくとも基づき与えられてもよい。ＶＤＬＴ−ＤＡＩ，ｍは、トータルＤＡＩとも呼称される。
【０１１２】
ＤＣＩフォーマット２＿０は、スロットフォーマットを示すために少なくとも用いられてもよい。スロットフォーマットは、あるスロットを構成するＯＦＤＭシンボルのそれぞれに対する送信方向（下りリンク、上りリンク、または、ＸＸＸ）を示す情報であってもよい。ＸＸＸは、送信方向を示さないことであってもよい。
【０１１３】
制御リソースセットは、１つまたは複数のＰＤＣＣＨの候補がマップされる時間領域、および／または、周波数領域を示してもよい。制御リソースセットは、端末装置１がＰＤＣＣＨを監視する領域であってもよい。制御リソースセットは、連続的なリソース（Loca
lized resource）により構成されてもよい。制御リソースセットは、非連続的なリソース（distributed resource）により構成されてもよい。
【０１１４】
制御リソースセットごとに、制御リソースセットのインデックス、制御リソースセットのＯＦＤＭシンボル数、および、制御リソースセットのリソースブロックのセットの一部または全部が与えられてもよい。
【０１１５】
制御リソースセットのインデックスは、制御リソースセットの識別のために少なくとも用いられてもよい。
【０１１６】
制御リソースセットのＯＦＤＭシンボル数は、制御リソースセットがマップされるＯＦＤＭシンボルの数を示してもよい。
【０１１７】
制御リソースセットのリソースブロックのセットは、制御リソースセットがマップされるリソースブロックのセットを示してもよい。制御リソースセットのリソースブロックのセットは、上位層のパラメータに含まれるビットマップにより与えられてもよい。ビットマップに含まれるビットは、６つの連続リソースブロックに対応してもよい。
【０１１８】
端末装置１によって監視されるＰＤＣＣＨの候補のセットは、探索領域セットの観点から定義されてもよい。つまり、端末装置１によって監視されるＰＤＣＣＨ候補のセットは、探索領域セットによって与えられてもよい。
【０１１９】
探索領域は、ある集約レベル（Aggregation level）のＰＤＣＣＨの候補を１または複
数含んで構成されてもよい。ＰＤＣＣＨの候補の集約レベルは、ＰＤＣＣＨを構成するＣＣＥの個数を示してもよい。
【０１２０】
探索領域セットは、１または複数の探索領域を少なくとも含んで構成されてもよい。探索領域セットは、１または複数の集約レベルのそれぞれに対応する１または複数のＰＤＣＣＨの候補を含んで構成されてもよい。探索領域セットのタイプは、タイプ０ＰＤＣＣＨ共通探索領域セット（common search space set）、タイプ０ａＰＤＣＣＨ共通探索領域
セット、タイプ１ＰＤＣＣＨ共通探索領域セット、タイプ２ＰＤＣＣＨ共通探索領域セット、タイプ３ＰＤＣＣＨ共通探索領域セット、および／または、ＵＥ個別ＰＤＣＣＨ探索領域セットのいずれかであってもよい。
【０１２１】
タイプ０ＰＤＣＣＨ共通探索領域セット、タイプ０ａＰＤＣＣＨ共通探索領域セット、タイプ１ＰＤＣＣＨ共通探索領域セット、タイプ２ＰＤＣＣＨ共通探索領域セット、および、タイプ３ＰＤＣＣＨ共通探索領域セットは、ＣＳＳセット（Common Search Space set）とも呼称される。ＵＥ個別ＰＤＣＣＨ探索領域セットは、ＵＳＳセット（UE specific Search Space set）とも呼称される。
【０１２２】
探索領域セットのそれぞれは、制御リソースセットに関連してもよい。探索領域セットのそれぞれは、制御リソースセットに少なくとも含まれてもよい。探索領域セットのそれぞれに対して、該探索領域セットに関連する制御リソースセットのインデックスが与えられてもよい。
【０１２３】
探索領域セットのそれぞれに対して、探索領域セットの監視間隔（Monitoring periodicity）が設定されてもよい。探索領域セットの監視間隔は、端末装置１によって探索領域セットの監視が行われるスロットの間隔を少なくとも示してもよい。探索領域セットの監視間隔を少なくとも示す上位層のパラメータは、探索領域セットごとに与えられてもよい。
【０１２４】
探索領域セットのそれぞれに対して、探索領域セットの監視オフセット（Monitoring offset）が設定されてもよい。探索領域セットの監視オフセットは、端末装置１によって
探索領域セットの監視が行われるスロットのインデックスの基準インデックス（例えば、スロット＃０）からのずれ（offset）を少なくとも示してもよい。探索領域セットの監視オフセットを少なくとも示す上位層のパラメータは、探索領域セットごとに与えられてもよい。
【０１２５】
探索領域セットのそれぞれに対して、探索領域セットの監視パターン（Monitoring pattern）が設定されてもよい。探索領域セットの監視パターンは、監視が行われる探索領域セットのための先頭のＯＦＤＭシンボルを示してもよい。探索領域セットの監視パターンは、１または複数のスロットにおける該先頭のＯＦＤＭシンボルを示すビットマップにより与えられてもよい。探索領域セットの監視パターンを少なくとも示す上位層のパラメータは、探索領域セットごとに与えられてもよい。
【０１２６】
探索領域セットの監視機会（Monitoring occasion）は、探索領域セットの監視間隔、
探索領域セットの監視オフセット、探索領域セットの監視パターン、および／または、ＤＲＸの設定の一部または全部に少なくとも基づき与えられてもよい。
【０１２７】
図５は、本実施形態の一態様に係る探索領域セットの監視機会の一例を示す図である。図５において、プライマリセル３０１に探索領域セット９１、および、探索領域セット９２が設定され、セカンダリセル３０２に探索領域セット９３が設定され、セカンダリセル３０３に探索領域セット９４が設定されている。
【０１２８】
図５において、格子線で示されるブロックは探索領域セット９１を示し、右上がり対角線で示されるブロックは探索領域セット９２を示し、左上がり対角線で示されるブロックは探索領域セット９３を示し、横線で示されるブロックは探索領域セット９４を示している。
【０１２９】
探索領域セット９１の監視間隔は1スロットにセットされ、探索領域セット９１の監視
オフセットは０スロットにセットされ、探索領域セット９１の監視パターンは、[１，０
，０，０，０，０，０，１，０，０，０，０，０，０]にセットされている。つまり、探
索領域セット９１の監視機会はスロットのそれぞれにおける先頭のＯＦＤＭシンボル（ＯＦＤＭシンボル＃０）および８番目のＯＦＤＭシンボル（ＯＦＤＭシンボル＃７）である。
【０１３０】
探索領域セット９２の監視間隔は２スロットにセットされ、探索領域セット９２の監視オフセットは０スロットにセットされ、探索領域セット９２の監視パターンは、[１，０
，０，０，０，０，０，０，０，０，０，０，０，０]にセットされている。つまり、探
索領域セット９２の監視機会は偶数スロットのそれぞれにおける先頭のＯＦＤＭシンボル（ＯＦＤＭシンボル＃０）である。
【０１３１】
探索領域セット９３の監視間隔は２スロットにセットされ、探索領域セット９３の監視オフセットは０スロットにセットされ、探索領域セット９３の監視パターンは、[０，０
，０，０，０，０，０，１，０，０，０，０，０，０]にセットされている。つまり、探
索領域セット９３の監視機会は偶数スロットのそれぞれにおける８番目のＯＦＤＭシンボル（ＯＦＤＭシンボル＃７）である。
【０１３２】
探索領域セット９４の監視間隔は２スロットにセットされ、探索領域セット９４の監視オフセットは１スロットにセットされ、探索領域セット９４の監視パターンは、[１，０
，０，０，０，０，０，０，０，０，０，０，０，０]にセットされている。つまり、探
索領域セット９４の監視機会は奇数スロットのそれぞれにおける先頭のＯＦＤＭシンボル（ＯＦＤＭシンボル＃０）である。
【０１３３】
タイプ０ＰＤＣＣＨ共通探索領域セットは、ＳＩ−ＲＮＴＩ（System Information-Radio Network Temporary Identifier）によってスクランブルされたＣＲＣ（Cyclic Redundancy Check）系列を伴うＤＣＩフォーマットのために少なくとも用いられてもよい。タイプ０ＰＤＣＣＨ共通探索領域セットの設定は、上位層パラメータＰＤＣＣＨ−ＣｏｎｆｉｇＳＩＢ１のＬＳＢ（Least Significant Bits）の４ビットに少なくとも基づき与えられてもよい。上位層パラメータＰＤＣＣＨ−ＣｏｎｆｉｇＳＩＢ１は、ＭＩＢに含まれてもよい。タイプ０ＰＤＣＣＨ共通探索領域セットの設定は、上位層のパラメータＳｅａｒｃｈＳｐａｃｅＺｅｒｏに少なくとも基づき与えられてもよい。上位層のパラメータＳｅａｒｃｈＳｐａｃｅＺｅｒｏのビットの解釈は、上位層パラメータＰＤＣＣＨ−ＣｏｎｆｉｇＳＩＢ１のＬＳＢの４ビットの解釈と同様であってもよい。タイプ０ＰＤＣＣＨ共通探索領域セットの設定は、上位層のパラメータＳｅａｒｃｈＳｐａｃｅＳＩＢ１に少なくとも基づき与えられてもよい。上位層のパラメータＳｅａｒｃｈＳｐａｃｅＳＩＢ１は、上位層のパラメータＰＤＣＣＨ−ＣｏｎｆｉｇＣｏｍｍｏｎに含まれてもよい。タイプ０ＰＤＣＣＨ共通探索領域セットで検出されるＰＤＣＣＨは、ＳＩＢ１を含んで送信されるＰＤＳＣＨのスケジューリングのために少なくとも用いられてもよい。ＳＩＢ１は、ＳＩＢの一種である。ＳＩＢ１は、ＳＩＢ１以外のＳＩＢのスケジューリング情報を含んでもよい。端末装置１は、ＥＵＴＲＡにおいて上位層のパラメータＰＤＣＣＨ−ＣｏｎｆｉｇＣｏｍｍｏｎを受信してもよい。端末装置１は、ＭＣＧにおいて上位層のパラメータＰＤＣＣＨ−ＣｏｎｆｉｇＣｏｍｍｏｎを受信してもよい。
【０１３４】
タイプ０ａＰＤＣＣＨ共通探索領域セットは、ＳＩ−ＲＮＴＩ（System Information-Radio Network Temporary Identifier）によってスクランブルされたＣＲＣ（Cyclic Redundancy Check）系列を伴うＤＣＩフォーマットのために少なくとも用いられてもよい。タイプ０ａＰＤＣＣＨ共通探索領域セットの設定は、上位層パラメータＳｅａｒｃｈＳｐａｃｅＯｔｈｅｒＳｙｓｔｅｍＩｎｆｏｒｍａｔｉｏｎに少なくとも基づき与えられてもよい。上位層パラメータＳｅａｒｃｈＳｐａｃｅＯｔｈｅｒＳｙｓｔｅｍＩｎｆｏｒｍａｔｉｏｎは、ＳＩＢ１に含まれてもよい。上位層のパラメータＳｅａｒｃｈＳｐａｃｅＯｔｈｅｒＳｙｓｔｅｍＩｎｆｏｒｍａｔｉｏｎは、上位層のパラメータＰＤＣＣＨ−ＣｏｎｆｉｇＣｏｍｍｏｎに含まれてもよい。タイプ０ＰＤＣＣＨ共通探索領域セットで検出されるＰＤＣＣＨは、ＳＩＢ１以外のＳＩＢを含んで送信されるＰＤＳＣＨのスケジューリングのために少なくとも用いられてもよい。
【０１３５】
タイプ１ＰＤＣＣＨ共通探索領域セットは、ＲＡ−ＲＮＴＩ（Random Access-Radio Network Temporary Identifier）によってスクランブルされたＣＲＣ系列、および／または、ＴＣ−ＲＮＴＩ（Temporary Cell-Radio Network Temporary Identifier）によってスクランブルされたＣＲＣ系列を伴うＤＣＩフォーマットのために少なくとも用いられてもよい。ＲＡ−ＲＮＴＩは、端末装置１によって送信されるランダムアクセスプリアンブルの時間／周波数リソースに少なくとも基づき与えられてもよい。ＴＣ−ＲＮＴＩは、ＲＡ−ＲＮＴＩによってスクランブルされたＣＲＣ系列を伴うＤＣＩフォーマットによりスケジューリングされるＰＤＳＣＨ（メッセージ２、または、ランダムアクセスレスポンスとも呼称される）により与えられてもよい。タイプ１ＰＤＣＣＨ共通探索領域セットは、上位層のパラメータｒａ−ＳｅａｒｃｈＳｐａｃｅに少なくとも基づき与えられてもよい。上位層のパラメータｒａ−ＳｅａｒｃｈＳｐａｃｅは、ＳＩＢ１に含まれてもよい。上位層のパラメータｒａ−ＳｅａｒｃｈＳｐａｃｅは、上位層のパラメータＰＤＣＣＨ−ＣｏｎｆｉｇＣｏｍｍｏｎに含まれてもよい。
【０１３６】
タイプ２ＰＤＣＣＨ共通探索領域セットは、Ｐ−ＲＮＴＩ（Paging- Radio Network Temporary Identifier）によってスクランブルされたＣＲＣ系列を伴うＤＣＩフォーマットのために用いられてもよい。Ｐ−ＲＮＴＩは、ＳＩＢの変更を通知する情報を含むＤＣＩフォーマットの送信のために少なくとも用いられてもよい。タイプ２ＰＤＣＣＨ共通探索領域セットは、上位層のパラメータＰａｇｉｎｇＳｅａｒｃｈＳｐａｃｅに少なくとも基づき与えられてもよい。上位層のパラメータＰａｇｉｎｇＳｅａｒｃｈＳｐａｃｅは、ＳＩＢ１に含まれてもよい。上位層のパラメータＰａｇｉｎｇＳｅａｒｃｈＳｐａｃｅは、上位層のパラメータＰＤＣＣＨ−ＣｏｎｆｉｇＣｏｍｍｏｎに含まれてもよい。
【０１３７】
タイプ３ＰＤＣＣＨ共通探索領域セットは、Ｃ−ＲＮＴＩ（Cell-Radio Network Temporary Identifier）によってスクランブルされたＣＲＣ系列を伴うＤＣＩフォーマットのために用いられてもよい。Ｃ−ＲＮＴＩは、ＴＣ−ＲＮＴＩによってスクランブルされたＣＲＣ系列を伴うＤＣＩフォーマットによりスケジューリングされるＰＤＳＣＨ（メッセージ４、または、コンテンションレゾリューションとも呼称される）に少なくとも基づき与えられてもよい。タイプ３ＰＤＣＣＨ共通探索領域セットは、上位層のパラメータＳｅａｒｃｈＳｐａｃｅＴｙｐｅがｃｏｍｍｏｎにセットされている場合に与えられる探索領域セットであってもよい。
【０１３８】
ＵＥ個別ＰＤＣＣＨ探索領域セットは、Ｃ−ＲＮＴＩによってスクランブルされたＣＲＣ系列を伴うＤＣＩフォーマットのために少なくとも用いられてもよい。
【０１３９】
端末装置１にＣ−ＲＮＴＩが与えられた場合、タイプ０ＰＤＣＣＨ共通探索領域セット、タイプ０ａＰＤＣＣＨ共通探索領域セット、タイプ１ＰＤＣＣＨ共通探索領域セット、および／または、タイプ２ＰＤＣＣＨ共通探索領域セットは、Ｃ−ＲＮＴＩでスクランブルされたＣＲＣ系列を伴うＤＣＩフォーマットのために少なくとも用いられてもよい。
【０１４０】
端末装置１にＣ−ＲＮＴＩが与えられた場合、上位層パラメータＰＤＣＣＨ−ＣｏｎｆｉｇＳＩＢ１、上位層のパラメータＳｅａｒｃｈＳｐａｃｅＺｅｒｏ、上位層のパラメータＳｅａｒｃｈＳｐａｃｅＳＩＢ１、上位層のパラメータＳｅａｒｃｈＳｐａｃｅＯｔｈｅｒＳｙｓｔｅｍＩｎｆｏｒｍａｔｉｏｎ、上位層のパラメータｒａ−ＳｅａｒｃｈＳｐａｃｅ、または、上位層パラメータＰａｇｉｎｇＳｅａｒｃｈＳｐａｃｅのいずれかに少なくとも基づき与えられる探索領域セットは、Ｃ−ＲＮＴＩでスクランブルされたＣＲＣ系列を伴うＤＣＩフォーマットのために少なくとも用いられてもよい。
【０１４１】
共通制御リソースセットは、ＣＳＳおよびＵＳＳの一方または両方を少なくとも含んでもよい。専用制御リソースセットは、ＣＳＳおよびＵＳＳの一方または両方を少なくとも含んでもよい。
【０１４２】
探索領域セットの物理リソースは制御チャネルの構成単位（CCE:Control Channel Element）により構成される。ＣＣＥは６つのリソース要素グループ（REG:Resource Element Group）により構成される。ＲＥＧは１つのＰＲＢ（Physical Resource Block）の１ＯＦＤＭシンボルにより構成されてもよい。つまり、ＲＥＧは１２個のリソースエレメント（RE:Resource Element）を含んで構成されてもよい。ＰＲＢは、単にＲＢ（Ｒｅｓｏｕｒｃｅ  Ｂｌｏｃｋ：リソースブロック）とも呼称される。
【０１４３】
ＰＤＳＣＨは、トランスポートブロックを送信するために少なくとも用いられる。ＰＤＳＣＨは、ランダムアクセスメッセージ２（ランダムアクセスレスポンス）を送信するために少なくとも用いられてもよい。ＰＤＳＣＨは、初期アクセスのために用いられるパラメータを含むシステム情報を送信するために少なくとも用いられてもよい。
【０１４４】
ＤＬ−ＳＣＨは、ＰＤＳＣＨにマップされてもよい。
【０１４５】
下りリンク物理シグナルは、リソースエレメントのセットに対応してもよい。下りリンク物理シグナルは、上位層において発生する情報を運ばなくてもよい。下りリンク物理シグナルは、下りリンクキャリアにおいて用いられる物理シグナルであってもよい。本実施形態の一態様に係る無線通信システムにおいて、少なくとも下記の一部または全部の下りリンク物理シグナルが用いられてもよい。
・同期信号（SS:Synchronization signal）
・ＤＬ  ＤＭＲＳ（DownLink DeModulation Reference Signal）
・ＣＳＩ−ＲＳ（Channel State Information-Reference Signal）
・ＤＬ  ＰＴＲＳ（DownLink Phase Tracking Reference Signal）
・ＴＲＳ（Tracking Reference Signal）
【０１４６】
同期信号は、端末装置１が下りリンクの周波数領域、および／または、時間領域の同期をとるために用いられる。同期信号は、ＰＳＳ（Primary Synchronization Signal）、および、ＳＳＳ（Secondary Synchronization Signal）を含む。
【０１４７】
ＳＳブロック（ＳＳ／ＰＢＣＨブロック）は、ＰＳＳ、ＳＳＳ、および、ＰＢＣＨの一部または全部を少なくとも含んで構成される。ＳＳブロックに含まれるＰＳＳ、ＳＳＳ、および、ＰＢＣＨの一部または全部のそれぞれのアンテナポートは同一であってもよい。ＳＳブロックに含まれるＰＳＳ、ＳＳＳ、およびＰＢＣＨの一部または全部は、連続するＯＦＤＭシンボルにマップされてもよい。ＳＳブロックに含まれるＰＳＳ、ＳＳＳ、および、ＰＢＣＨの一部または全部のそれぞれのＣＰ設定は同一であってもよい。ＳＳブロックに含まれるＰＳＳ、ＳＳＳ、および、ＰＢＣＨの一部または全部のそれぞれのサブキャリア間隔の設定μは同一であってもよい。
【０１４８】
ＤＬ  ＤＭＲＳは、ＰＢＣＨ、ＰＤＣＣＨ、および／または、ＰＤＳＣＨの送信に関連する。ＤＬ  ＤＭＲＳは、ＰＢＣＨ、ＰＤＣＣＨ、および／または、ＰＤＳＣＨに多重される。端末装置１は、ＰＢＣＨ、ＰＤＣＣＨ、または、ＰＤＳＣＨの伝搬路補正を行なうために該ＰＢＣＨ、該ＰＤＣＣＨ、または、該ＰＤＳＣＨと対応するＤＬ  ＤＭＲＳを使用してよい。以下、ＰＢＣＨと、該ＰＢＣＨと関連するＤＬ  ＤＭＲＳが共に送信されることは、ＰＢＣＨが送信されると呼称される。また、ＰＤＣＣＨと、該ＰＤＣＣＨと関連するＤＬ  ＤＭＲＳが共に送信されることは、単にＰＤＣＣＨが送信されると呼称される。また、ＰＤＳＣＨと、該ＰＤＳＣＨと関連するＤＬ  ＤＭＲＳが共に送信されることは、単にＰＤＳＣＨが送信されると呼称される。ＰＢＣＨと関連するＤＬ  ＤＭＲＳは、ＰＢＣＨ用ＤＬ  ＤＭＲＳとも呼称される。ＰＤＳＣＨと関連するＤＬ  ＤＭＲＳは、ＰＤＳＣＨ用ＤＬ  ＤＭＲＳとも呼称される。ＰＤＣＣＨと関連するＤＬ  ＤＭＲＳは、ＰＤＣＣＨと関連するＤＬ  ＤＭＲＳとも呼称される。
【０１４９】
ＤＬ  ＤＭＲＳは、端末装置１に個別に設定される参照信号であってもよい。ＤＬ  ＤＭＲＳの系列は、端末装置１に個別に設定されるパラメータに少なくとも基づいて与えられてもよい。ＤＬ  ＤＭＲＳの系列は、ＵＥ固有の値（例えば、Ｃ−ＲＮＴＩ等）に少なくとも基づき与えられてもよい。ＤＬ  ＤＭＲＳは、ＰＤＣＣＨ、および／または、ＰＤＳＣＨのために個別に送信されてもよい。
【０１５０】
ＣＳＩ−ＲＳは、チャネル状態情報を算出するために少なくとも用いられる信号であってもよい。端末装置によって想定されるＣＳＩ−ＲＳのパターンは、少なくとも上位層のパラメータにより与えられてもよい。
【０１５１】
ＰＴＲＳは、位相雑音の補償のために少なくとも用いられる信号であってもよい。端末
装置によって想定されるＰＴＲＳのパターンは、上位層のパラメータ、および／または、ＤＣＩに少なくとも基づき与えられてもよい。
【０１５２】
ＤＬ  ＰＴＲＳは、１または複数のＤＬ  ＤＭＲＳに用いられるアンテナポートを少なくとも含むＤＬ  ＤＭＲＳグループに関連してもよい。ＤＬ  ＰＴＲＳとＤＬ  ＤＭＲＳグループが関連することは、ＤＬ  ＰＴＲＳのアンテナポートとＤＬ  ＤＭＲＳグループに含まれるアンテナポートの一部または全部が少なくともＱＣＬであることであってもよい。ＤＬ  ＤＭＲＳグループは、ＤＬ  ＤＭＲＳグループに含まれるＤＬ  ＤＭＲＳにおいて最も小さいインデックスのアンテナポートに少なくとも基づき識別されてもよい。
【０１５３】
ＴＲＳは、時間、および／または、周波数の同期のために少なくとも用いられる信号であってもよい。端末装置によって想定されるＴＲＳのパターンは、上位層のパラメータ、および／または、ＤＣＩに少なくとも基づき与えられてもよい。
【０１５４】
下りリンク物理チャネルおよび下りリンク物理シグナルは、下りリンク信号とも呼称される。上りリンク物理チャネルおよび上りリンク物理シグナルは、上りリンク信号とも呼称される。下りリンク信号および上りリンク信号はまとめて物理信号とも呼称される。下りリンク信号および上りリンク信号はまとめて信号とも呼称される。下りリンク物理チャネルおよび上りリンク物理チャネルを総称して、物理チャネルと称する。下りリンク物理シグナルおよび上りリンク物理シグナルを総称して、物理シグナルと称する。
【０１５５】
ＳＳ／ＰＢＣＨブロックの説明を行う。
【０１５６】
ＳＳ／ＰＢＣＨブロックは、ＰＳＳ、ＳＳＳ、ＰＢＣＨの一部または全部を少なくとも含んで構成されてもよい。ＳＳ／ＰＢＣＨブロックは、連続する４つのＯＦＤＭシンボルにより構成されてもよい。時間領域において、ＰＳＳはＳＳ／ＰＢＣＨブロックの先頭のＯＦＤＭシンボルにマップされてもよい。時間領域において、ＳＳＳはＳＳ／ＰＢＣＨブロックの３番目のＯＦＤＭシンボルにマップされてもよい。時間領域において、ＰＢＣＨはＳＳ／ＰＢＣＨブロックの２番目のＯＦＤＭシンボルと、３番目のＯＦＤＭシンボルと、４番目のＯＦＤＭシンボルにマップされてもよい。
【０１５７】
ＳＳ／ＰＢＣＨブロックは、２４０サブキャリアにより構成されてもよい。周波数領域において、５７番目から１８３番目のサブキャリアにマップされてもよい。周波数領域において、ＳＳＳは５７番目から１８３番目のサブキャリアにマップされてもよい。１番目のＯＦＤＭシンボルの１番目のサブキャリアから、１番目のＯＦＤＭシンボルの５６番目のサブキャリアはゼロがセットされてもよい。１番目のＯＦＤＭシンボルの１８４番目のサブキャリアから、１番目のＯＦＤＭシンボルの２４０番目のサブキャリアはゼロがセットされてもよい。３番目のＯＦＤＭシンボルの４９番目のサブキャリアから、３番目のＯＦＤＭシンボルの５６番目のサブキャリアはゼロがセットされてもよい。３番目のＯＦＤＭシンボルの１８４番目のサブキャリアから、３番目のＯＦＤＭシンボルの１９２番目のサブキャリアはゼロがセットされてもよい。２番目のＯＦＤＭシンボルの１番目のサブキャリアから２４０番目のサブキャリアであって、かつ、ＰＢＣＨに関連するＤＭＲＳがマップされないサブキャリアにＰＢＣＨがマップされてもよい。３番目のＯＦＤＭシンボルの１番目のサブキャリアから４８番目のサブキャリアであって、かつ、ＰＢＣＨに関連するＤＭＲＳがマップされないサブキャリアにＰＢＣＨがマップされてもよい。３番目のＯＦＤＭシンボルの１９３番目のサブキャリアから２４０番目のサブキャリアであって、かつ、ＰＢＣＨに関連するＤＭＲＳがマップされないサブキャリアにＰＢＣＨがマップされてもよい。４番目のＯＦＤＭシンボルの１番目のサブキャリアから２４０番目のサブキャリアであって、かつ、ＰＢＣＨに関連するＤＭＲＳがマップされないサブキャリアにＰＢＣＨがマップされてもよい。
【０１５８】
ＢＣＨ（Broadcast CHannel）、ＵＬ−ＳＣＨ（Uplink-Shared CHannel）およびＤＬ−ＳＣＨ（Downlink-Shared CHannel）は、トランスポートチャネルである。媒体アクセス
制御（MAC:Medium Access Control）層で用いられるチャネルはトランスポートチャネル
と呼称される。ＭＡＣ層で用いられるトランスポートチャネルの単位は、トランスポートブロック（TB）またはＭＡＣ  ＰＤＵとも呼称される。ＭＡＣ層においてトランスポートブロック毎にＨＡＲＱ（Hybrid Automatic Repeat reQuest）の制御が行なわれる。トラ
ンスポートブロックは、ＭＡＣ層が物理層に渡す（deliver）データの単位である。物理
層において、トランスポートブロックはコードワードにマップされ、コードワード毎に変調処理が行なわれる。
【０１５９】
基地局装置３と端末装置１は、上位層（higher layer）において上位層の信号をやり取り（送受信）する。例えば、基地局装置３と端末装置１は、無線リソース制御（RRC:Radio Resource Control）層において、ＲＲＣシグナリング（RRC message:Radio Resource Control message、RRC information:Radio Resource Control information）を送受信してもよい。また、基地局装置３と端末装置１は、ＭＡＣ層において、ＭＡＣ  ＣＥ（Control Element）を送受信してもよい。ここで、ＲＲＣシグナリング、および／または、ＭＡＣ  ＣＥを、上位層の信号（higher layer signaling）とも称する。
【０１６０】
ＰＵＳＣＨおよびＰＤＳＣＨは、ＲＲＣシグナリング、および／または、ＭＡＣ  ＣＥを送信するために少なくとも用いられてよい。ここで、基地局装置３よりＰＤＳＣＨで送信されるＲＲＣシグナリングは、サービングセル内における複数の端末装置１に対して共通のシグナリングであってもよい。サービングセル内における複数の端末装置１に対して共通のシグナリングは、共通ＲＲＣシグナリングとも呼称される。基地局装置３からＰＤＳＣＨで送信されるＲＲＣシグナリングは、ある端末装置１に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のシグナリングは、専用ＲＲＣシグナリングとも呼称される。サービングセルにおいて固有な上位層のパラメータは、サービングセル内における複数の端末装置１に対して共通のシグナリング、または、ある端末装置１に対して専用のシグナリングを用いて送信されてもよい。ＵＥ固有な上位層のパラメータは、ある端末装置１に対して専用のシグナリングを用いて送信されてもよい。
【０１６１】
ＢＣＣＨ（Broadcast Control CHannel）、ＣＣＣＨ（Common Control CHannel）、お
よび、ＤＣＣＨ（Dedicated Control CHannel）は、ロジカルチャネルである。例えば、
ＢＣＣＨは、ＭＩＢを送信するために用いられる上位層のチャネルである。また、ＣＣＣＨ（Common Control CHannel）は、複数の端末装置１において共通な情報を送信するために用いられる上位層のチャネルである。ここで、ＣＣＣＨは、例えば、ＲＲＣ接続されていない端末装置１のために用いられてもよい。また、ＤＣＣＨ（Dedicated Control CHannel）は、端末装置１に専用の制御情報（dedicated control information）を送信するために少なくとも用いられる上位層のチャネルである。ここで、ＤＣＣＨは、例えば、ＲＲＣ接続されている端末装置１のために用いられてもよい。
【０１６２】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【０１６３】
トランスポートチャネルにおけるＵＬ−ＳＣＨは、物理チャネルにおいてＰＵＳＣＨに
マップされてもよい。トランスポートチャネルにおけるＤＬ−ＳＣＨは、物理チャネルにおいてＰＤＳＣＨにマップされてもよい。トランスポートチャネルにおけるＢＣＨは、物理チャネルにおいてＰＢＣＨにマップされてもよい。
【０１６４】
以下、本実施形態の一態様に係る端末装置１の構成例を説明する。
【０１６５】
図６は、本実施形態の一態様に係る端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、お
よび、ベースバンド部１３の一部または全部を少なくとも含んで構成される。上位層処理部１４は、媒体アクセス制御層処理部１５、および、無線リソース制御層処理部１６の一部または全部を少なくとも含んで構成される。無線送受信部１０を送信部、受信部、または、物理層処理部とも称する。
【０１６６】
上位層処理部１４は、ユーザーの操作等により生成された上りリンクデータ（トランスポートブロック）を、無線送受信部１０に出力する。上位層処理部１４は、ＭＡＣ層、パケットデータ統合プロトコル（PDCP:Packet Data Convergence Protocol）層、無線リン
ク制御（RLC:Radio Link Control）層、ＲＲＣ層の処理を行なう。
【０１６７】
上位層処理部１４が備える媒体アクセス制御層処理部１５は、ＭＡＣ層の処理を行う。
【０１６８】
上位層処理部１４が備える無線リソース制御層処理部１６は、ＲＲＣ層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。該パラメータは上位層のパラメータであってもよい。
【０１６９】
無線送受信部１０は、変調、復調、符号化、復号化などの物理層の処理を行う。無線送受信部１０は、無線受信部、および、無線送信部を含んでもよい。無線送受信部１０（または、無線受信部）は、受信した物理信号を、分離、復調、復号し、復号した情報を上位層処理部１４に出力する。無線送受信部１０（または、無線送信部）は、データを変調、符号化、ベースバンド信号生成（時間連続信号への変換）することによって物理信号を生成し、基地局装置３に送信する。無線送受信部１０はキャリアセンスを実施してもよい。
【０１７０】
ＲＦ部１２は、アンテナ部１１を介して受信した信号を、直交復調によりベースバンド信号に変換し（ダウンコンバート：ｄｏｗｎ  ｃｏｎｖｅｒｔ）、不要な周波数成分を除去する。ＲＦ部１２は、処理をしたアナログ信号をベースバンド部に出力する。
【０１７１】
ベースバンド部１３は、ＲＦ部１２から入力されたアナログ信号をディジタル信号に変換する。ベースバンド部１３は、変換したディジタル信号からＣＰ（Cyclic Prefix）に
相当する部分を除去し、ＣＰを除去した信号に対して高速フーリエ変換（FFT:Fast Fourier Transform）を行い、周波数領域の信号を抽出する。
【０１７２】
ベースバンド部１３は、データを逆高速フーリエ変換（IFFT:Inverse Fast Fourier Transform）して、ＯＦＤＭシンボルを生成し、生成されたＯＦＤＭシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１７３】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１７４】
以下、本実施形態の一態様に係る基地局装置３の構成例を説明する。
【０１７５】
図７は、本実施形態の一態様に係る基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１７６】
上位層処理部３４は、ＭＡＣ層、ＰＤＣＰ層、ＲＬＣ層、ＲＲＣ層の処理を行なう。
【０１７７】
上位層処理部３４が備える媒体アクセス制御層処理部３５は、ＭＡＣ層の処理を行う。
【０１７８】
上位層処理部３４が備える無線リソース制御層処理部３６は、ＲＲＣ層の処理を行う。無線リソース制御層処理部３６は、ＰＤＳＣＨに配置される下りリンクデータ（トランスポートブロック）、システム情報、ＲＲＣメッセージ、ＭＡＣ  ＣＥなどを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１７９】
無線送受信部３０の機能は、無線送受信部１０と同様であるため説明を省略する。
【０１８０】
端末装置１が備える符号１０から符号１６が付された部のそれぞれは、回路として構成されてもよい。基地局装置３が備える符号３０から符号３６が付された部のそれぞれは、回路として構成されてもよい。端末装置１が備える符号１０から符号１６が付された部の一部または全部は、メモリと該メモリに接続されるプロセッサとして構成されてもよい。基地局装置３が備える符号３０から符号３６が付された部の一部または全部は、メモリと該メモリに接続されるプロセッサとして構成されてもよい。本実施形態に係る種々の態様（動作、処理）は、端末装置１および／または基地局装置３に含まれるメモリおよび該メモリに接続されるプロセッサにおいて実現されて（行われて）もよい。
【０１８１】
図８は、本実施形態の一態様に係るＳＳ／ＰＢＣＨブロックの候補のマッピングの一例を示す図である。図８において、ＳＳ／ＰＢＣＨブロックの候補８０００とＳＳ／ＰＢＣＨブロックの候補８００１は、スロットｎにマップされる。また、ＳＳ／ＰＢＣＨブロックの候補８００２とＳＳ／ＰＢＣＨブロックの候補８００３は、スロットｎ＋１にマップされる。また、ＳＳ／ＰＢＣＨブロックの候補８００４とＳＳ／ＰＢＣＨブロックの候補８００５は、スロットｎ＋２にマップされる。また、ＳＳ／ＰＢＣＨブロックの候補８００６とＳＳ／ＰＢＣＨブロックの候補８００７は、スロットｎ＋３にマップされる。また、ＳＳ／ＰＢＣＨブロックの候補８００８とＳＳ／ＰＢＣＨブロックの候補８００９は、スロットｎ＋４にマップされる。また、ＳＳ／ＰＢＣＨブロックの候補８０１０とＳＳ／ＰＢＣＨブロックの候補８０１１は、スロットｎ＋５にマップされる。また、ＳＳ／ＰＢＣＨブロックの候補８０１２とＳＳ／ＰＢＣＨブロックの候補８０１３は、スロットｎ＋６にマップされる。また、ＳＳ／ＰＢＣＨブロックの候補８０１４とＳＳ／ＰＢＣＨブロックの候補８０１５は、スロットｎ＋７にマップされる。また、ＳＳ／ＰＢＣＨブロックの候補８０１６とＳＳ／ＰＢＣＨブロックの候補８０１７は、スロットｎ＋８にマップされる。また、ＳＳ／ＰＢＣＨブロックの候補８０１８とＳＳ／ＰＢＣＨブロックの候補８０１９は、スロットｎ＋９にマップされる。
【０１８２】
ここで、ｎは、無線フレーム内のスロットインデックスにおいて、０または５である。つまり、スロット＃ｎは、無線フレームの先頭のスロット、または、６番目のスロットに対応する。
【０１８３】
例えば、ＳＳ／ＰＢＣＨブロックの候補に設定されるサブキャリア間隔の設定μが０である場合、ＳＳ／ＰＢＣＨブロックの候補８０００からＳＳ／ＰＢＣＨブロックの候補８００９が用いられてもよい。また、例えば、ＳＳ／ＰＢＣＨブロックの候補に設定されるサブキャリア間隔の設定μが１である場合、ＳＳ／ＰＢＣＨブロックの候補８０００からＳＳ／ＰＢＣＨブロックの候補８０１９が用いられてもよい。
【０１８４】
ＳＳ／ＰＢＣＨブロックは、ＳＳ／ＰＢＣＨブロックの候補のいずれかにおいて（または、いずれかのリソースを用いて）送信されてもよい。
【０１８５】
“通知インデックス”は、ＳＳ／ＰＢＣＨブロックに含まれるＰＢＣＨのペイロード
、および／または、該ＰＢＣＨに関連するＤＭＲＳに少なくとも基づき通知されるインデックスであってもよい。例えば、ＳＳ／ＰＢＣＨブロックの候補８０００において送信されるＳＳ／ＰＢＣＨブロックの通知インデックスは、０であってもよい。また、ＳＳ／ＰＢＣＨブロックの候補８００１において送信されるＳＳ／ＰＢＣＨブロックの通知インデックスは、１であってもよい。また、ＳＳ／ＰＢＣＨブロックの候補８００２において送信されるＳＳ／ＰＢＣＨブロックの通知インデックスは、２であってもよい。また、ＳＳ／ＰＢＣＨブロックの候補８００３において送信されるＳＳ／ＰＢＣＨブロックの通知インデックスは、３であってもよい。また、ＳＳ／ＰＢＣＨブロックの候補８００４において送信されるＳＳ／ＰＢＣＨブロックの通知インデックスは、４であってもよい。また、ＳＳ／ＰＢＣＨブロックの候補８００５において送信されるＳＳ／ＰＢＣＨブロックの通知インデックスは、５であってもよい。また、ＳＳ／ＰＢＣＨブロックの候補８００６において送信されるＳＳ／ＰＢＣＨブロックの通知インデックスは、６であってもよい。また、ＳＳ／ＰＢＣＨブロックの候補８００７において送信されるＳＳ／ＰＢＣＨブロックの通知インデックスは、７であってもよい。また、ＳＳ／ＰＢＣＨブロックの候補８００８の通知インデックスは、８であってもよい。また、ＳＳ／ＰＢＣＨブロックの候補８００９において送信されるＳＳ／ＰＢＣＨブロックの通知インデックスは、９であってもよい。また、ＳＳ／ＰＢＣＨブロックの候補８０１０において送信されるＳＳ／ＰＢＣＨブロックの通知インデックスは、１０であってもよい。また、ＳＳ／ＰＢＣＨブロックの候補８０１１において送信されるＳＳ／ＰＢＣＨブロックの通知インデックスは、１１であってもよい。また、ＳＳ／ＰＢＣＨブロックの候補８０１２において送信されるＳＳ／ＰＢＣＨブロックの通知インデックスは、１２であってもよい。また、ＳＳ／ＰＢＣＨブロックの候補８０１３において送信されるＳＳ／ＰＢＣＨブロックの通知インデックスは、１３であってもよい。また、ＳＳ／ＰＢＣＨブロックの候補８０１４において送信されるＳＳ／ＰＢＣＨブロックの通知インデックスは、１４であってもよい。また、ＳＳ／ＰＢＣＨブロックの候補８０１５において送信されるＳＳ／ＰＢＣＨブロックの通知インデックスは、１５であってもよい。また、ＳＳ／ＰＢＣＨブロックの候補８０１６において送信されるＳＳ／ＰＢＣＨブロックの通知インデックスは、１６であってもよい。また、ＳＳ／ＰＢＣＨブロックの候補８０１７において送信されるＳＳ／ＰＢＣＨブロックの通知インデックスは、１７であってもよい。また、ＳＳ／ＰＢＣＨブロックの候補８０１８において送信されるＳＳ／ＰＢＣＨブロックの通知インデックスは、１８であってもよい。
また、ＳＳ／ＰＢＣＨブロックの候補８０１９において送信されるＳＳ／ＰＢＣＨブロックの通知インデックスは、１９であってもよい。
【０１８６】
通知インデックスは、端末装置１がＯＦＤＭシンボルレベルの同期を行うために少なくとも用いられてもよい。例えば、ＳＳ／ＰＢＣＨブロックの候補８０００、８００２、８００４、８００６、８００８、８０１０、８０１２、８０１４、８０１６、８０１８のそれぞれがマップされる先頭のＯＦＤＭシンボルの、スロット内におけるインデックスは、所定の値（例えば、２、または、４）にセットされてもよい。つまり、端末装置１がＳＳ／ＰＢＣＨブロックの候補８０００、８００２、８００４、８００６、８００８、８０１０、８０１２、８０１４、８０１６、８０１８のいずれかにおいて送信されるＳＳ／ＰＢＣＨブロックを検出することによって、スロット内のＯＦＤＭシンボルインデックスの配置を認識することができる。また、例えば、ＳＳ／ＰＢＣＨブロックの候補８００１、８００３、８００５、８００７、８００９、８０１１、８０１３、８０１５、８０１７、８０１９のそれぞれがマップされる先頭のＯＦＤＭシンボルの、スロット内におけるインデックスは、所定の値（例えば、８）にセットされてもよい。つまり、端末装置１がＳＳ／ＰＢＣＨブロックの候補８００１、８００３、８００５、８００７、８００９、８０１１、８０１３、８０１５、８０１７、８０１９のいずれかにおいて送信されるＳＳ／ＰＢＣＨブロックを検出することによって、スロット内のＯＦＤＭシンボルインデックスの配置を認識することができる。
【０１８７】
通知インデックスは、端末装置１がスロットレベルの同期を行うために少なくとも用いられてもよい。例えば、端末装置１がＳＳ／ＰＢＣＨブロックの候補８０００、または、ＳＳ／ＰＢＣＨブロックの候補８００１のいずれかにおいて送信されるＳＳ／ＰＢＣＨブロックを検出することによって、検出されたＳＳ／ＰＢＣＨブロックが無線フレーム内の先頭のスロット、または、無線フレーム内の６番目のスロットのいずれかにマップされていることを認識することができる。また、端末装置１がＳＳ／ＰＢＣＨブロックの候補８００２、または、ＳＳ／ＰＢＣＨブロックの候補８００３のいずれかにおいて送信されるＳＳ／ＰＢＣＨブロックを検出することによって、検出されたＳＳ／ＰＢＣＨブロックが無線フレーム内の２番目のスロット、または、無線フレーム内の７番目のスロットのいずれかにマップされていることを認識することができる。また、端末装置１がＳＳ／ＰＢＣＨブロックの候補８００４、または、ＳＳ／ＰＢＣＨブロックの候補８００５のいずれかにおいて送信されるＳＳ／ＰＢＣＨブロックを検出することによって、検出されたＳＳ／ＰＢＣＨブロックが無線フレーム内の３番目のスロット、または、無線フレーム内の８番目のスロットのいずれかにマップされていることを認識することができる。また、端末装置１がＳＳ／ＰＢＣＨブロックの候補８００６、または、ＳＳ／ＰＢＣＨブロックの候補８００７のいずれかにおいて送信されるＳＳ／ＰＢＣＨブロックを検出することによって、検出されたＳＳ／ＰＢＣＨブロックが無線フレーム内の４番目のスロット、または、無線フレーム内の９番目のスロットのいずれかにマップされていることを認識することができる。また、端末装置１がＳＳ／ＰＢＣＨブロックの候補８００８、または、ＳＳ／ＰＢＣＨブロックの候補８００９のいずれかを検出することによって、検出されたＳＳ／ＰＢＣＨブロックが無線フレーム内の５番目のスロット、または、無線フレーム内の１０番目のスロットのいずれかにマップされていることを認識することができる。
【０１８８】
つまり、あるＳＳ／ＰＢＣＨブロックの通知インデックスは、該あるＳＳ／ＰＢＣＨブロックがマップされる時間リソースに少なくとも関連してもよい。端末装置１があるＳＳ／ＰＢＣＨブロックを検出することによって、該あるＳＳ／ＰＢＣＨブロックがマップされる時間リソースを認識することができる。
【０１８９】
“実効インデックス”は、通知インデックス、および／または、あるハーフ無線フレームにおいて送信可能なＳＳ／ＰＢＣＨブロックの数ＬＳＳＢに少なくとも基づき与えられ
てもよい。ここで、ハーフ無線フレームは、５個のサブフレームを含んで構成されてもよい。また、ハーフ無線フレームは、無線フレームに含まれる１０個のサブフレームのうち、前半の５個のサブフレームにより構成されてもよい。また、ハーフ無線フレームは、無線フレームに含まれる１０個のサブフレームのうち、後半の５個のサブフレームにより構成されてもよい。
【０１９０】
例えば、実効インデックスは、実効インデックス＝ｍｏｄ（通知インデックス，ＮＱ）に少なくとも基づき与えられる関係を満たしてもよい。例えば、ＮＱ＝ＬＳＳＢであってもよい。また、ＮＱは、ＳＳ／ＰＢＣＨブロックに適用可能なビームの数に対応してもよい。また、ＮＱは、異なる大規模特性を備えるＳＳ／ＰＢＣＨブロックの最大数に対応してもよい。また、ＮＱは、ＰＢＣＨに含まれる値に少なくとも基づき示される値であってもよい。また、ＮＱは、ＳＩＢ１に含まれる値に少なくとも基づき与えられてもよい。ここで、ｍｏｄ（Ａ，Ｂ）は、ＡをＢで割った余りを出力する関数である。また、ＮＱは、測定用オブジェクト（measurement object）ごとに与えられてもよい。
【０１９１】
例えば、ＳＳ／ＰＢＣＨブロックの候補８０００において送信されるＳＳ／ＰＢＣＨブロックの実効インデックスは、０であってもよい。また、ＳＳ／ＰＢＣＨブロックの候補８００１において送信されるＳＳ／ＰＢＣＨブロックの実効インデックスは、１であってもよい。また、ＳＳ／ＰＢＣＨブロックの候補８００２において送信されるＳＳ／ＰＢＣＨブロックの実効インデックスは、２であってもよい。また、ＳＳ／ＰＢＣＨブロックの候補８００３において送信されるＳＳ／ＰＢＣＨブロックの実効インデックスは、３であってもよい。また、ＳＳ／ＰＢＣＨブロックの候補８００４において送信されるＳＳ／ＰＢＣＨブロックの実効インデックスは、４であってもよい。また、ＳＳ／ＰＢＣＨブロックの候補８００５において送信されるＳＳ／ＰＢＣＨブロックの実効インデックスは、５であってもよい。また、ＳＳ／ＰＢＣＨブロックの候補８００６において送信されるＳＳ／ＰＢＣＨブロックの実効インデックスは、６であってもよい。また、ＳＳ／ＰＢＣＨブロックの候補８００７において送信されるＳＳ／ＰＢＣＨブロックの実効インデックスは、７であってもよい。また、ＳＳ／ＰＢＣＨブロックの候補８００８の実効インデックスは、０であってもよい。また、ＳＳ／ＰＢＣＨブロックの候補８００９において送信されるＳＳ／ＰＢＣＨブロックの実効インデックスは、１であってもよい。また、ＳＳ／ＰＢＣＨブロックの候補８０１０において送信されるＳＳ／ＰＢＣＨブロックの実効インデックスは、２であってもよい。また、ＳＳ／ＰＢＣＨブロックの候補８０１１において送信されるＳＳ／ＰＢＣＨブロックの実効インデックスは、３であってもよい。また、ＳＳ／ＰＢＣＨブロックの候補８０１２において送信されるＳＳ／ＰＢＣＨブロックの実効インデックスは、４であってもよい。また、ＳＳ／ＰＢＣＨブロックの候補８０１３において送信されるＳＳ／ＰＢＣＨブロックの実効インデックスは、５であってもよい。また、ＳＳ／ＰＢＣＨブロックの候補８０１４において送信されるＳＳ／ＰＢＣＨブロックの実効インデックスは、６であってもよい。また、ＳＳ／ＰＢＣＨブロックの候補８０１５において送信されるＳＳ／ＰＢＣＨブロックの実効インデックスは、７であってもよい。また、ＳＳ／ＰＢＣＨブロックの候補８０１６において送信されるＳＳ／ＰＢＣＨブロックの実効インデックスは、０であってもよい。また、ＳＳ／ＰＢＣＨブロックの候補８０１７において送信されるＳＳ／ＰＢＣＨブロックの実効インデックスは、１であってもよい。また、ＳＳ／ＰＢＣＨブロックの候補８０１８において送信されるＳＳ／ＰＢＣＨブロックの実効インデックスは、２であってもよい。また、ＳＳ／ＰＢＣＨブロックの候補８０１９において送信されるＳＳ／ＰＢＣＨブロックの実効インデックスは、３であってもよい。
【０１９２】
例えば、実効インデックスは、実効インデックス＝ｆｌｏｏｒ（通知インデックス／ＮＱ）に少なくとも基づき与えられる関係を満たしてもよい。また、実効インデックスは、実効インデックス＝ｃｅｉｌ（通知インデックス／ＮＱ）に少なくとも基づき与えられる
関係を満たしてもよい。ｆｌｏｏｒ（＊）は、実数＊に対する床関数であってもよい。例えば、ｆｌｏｏｒ（＊）は、実数＊を超えない範囲で最大の整数を出力する関数であってもよい。ｃｅｉｌ（＊）は、実数＊に対する天井関数であってもよい。例えば、ｃｅｉｌ（＊）は、実数＊を下回らない範囲で最小の整数を出力する関数であってもよい。
【０１９３】
例えば、連続するインデックスの複数のＳＳ／ＰＢＣＨブロックの候補のそれぞれにおいて送信されるＳＳ／ＰＢＣＨブロックの実効インデックスが等しくなるように、それぞれのＳＳ／ＰＢＣＨブロックに対する実効インデックスがセットされてもよい。例えば、同一のスロット（または、サブフレーム）に含まれる複数のＳＳ／ＰＢＣＨブロックの候補のそれぞれにおいて送信されるＳＳ／ＰＢＣＨブロックの実効インデックスが同一となるようにセットされてもよい。
【０１９４】
例えば、ＳＳ／ＰＢＣＨブロックの候補８０００において送信されるＳＳ／ＰＢＣＨブロックの実効インデックスは、０であってもよい。また、ＳＳ／ＰＢＣＨブロックの候補８００１において送信されるＳＳ／ＰＢＣＨブロックの実効インデックスは、０であってもよい。また、ＳＳ／ＰＢＣＨブロックの候補８００２において送信されるＳＳ／ＰＢＣＨブロックの実効インデックスは、０であってもよい。また、ＳＳ／ＰＢＣＨブロックの候補８００３において送信されるＳＳ／ＰＢＣＨブロックの実効インデックスは、０であってもよい。また、ＳＳ／ＰＢＣＨブロックの候補８００４において送信されるＳＳ／ＰＢＣＨブロックの実効インデックスは、１であってもよい。また、ＳＳ／ＰＢＣＨブロックの候補８００５において送信されるＳＳ／ＰＢＣＨブロックの実効インデックスは、１であってもよい。また、ＳＳ／ＰＢＣＨブロックの候補８００６において送信されるＳＳ／ＰＢＣＨブロックの実効インデックスは、１であってもよい。また、ＳＳ／ＰＢＣＨブロックの候補８００７において送信されるＳＳ／ＰＢＣＨブロックの実効インデックスは、１であってもよい。また、ＳＳ／ＰＢＣＨブロックの候補８００８の実効インデックスは、２であってもよい。また、ＳＳ／ＰＢＣＨブロックの候補８００９において送信されるＳＳ／ＰＢＣＨブロックの実効インデックスは、２であってもよい。また、ＳＳ／ＰＢＣＨブロックの候補８０１０において送信されるＳＳ／ＰＢＣＨブロックの実効インデックスは、２であってもよい。また、ＳＳ／ＰＢＣＨブロックの候補８０１１において送信されるＳＳ／ＰＢＣＨブロックの実効インデックスは、２であってもよい。また、ＳＳ／ＰＢＣＨブロックの候補８０１２において送信されるＳＳ／ＰＢＣＨブロックの実効インデックスは、３であってもよい。また、ＳＳ／ＰＢＣＨブロックの候補８０１３において送信されるＳＳ／ＰＢＣＨブロックの実効インデックスは、３であってもよい。また、ＳＳ／ＰＢＣＨブロックの候補８０１４において送信されるＳＳ／ＰＢＣＨブロックの実効インデックスは、３であってもよい。また、ＳＳ／ＰＢＣＨブロックの候補８０１５において送信されるＳＳ／ＰＢＣＨブロックの実効インデックスは、３であってもよい。また、ＳＳ／ＰＢＣＨブロックの候補８０１６において送信されるＳＳ／ＰＢＣＨブロックの実効インデックスは、４であってもよい。また、ＳＳ／ＰＢＣＨブロックの候補８０１７において送信されるＳＳ／ＰＢＣＨブロックの実効インデックスは、４であってもよい。また、ＳＳ／ＰＢＣＨブロックの候補８０１８において送信されるＳＳ／ＰＢＣＨブロックの実効インデックスは、４であってもよい。また、ＳＳ／ＰＢＣＨブロックの候補８０１９において送信されるＳＳ／ＰＢＣＨブロックの実効インデックスは、４であってもよい。
【０１９５】
あるＳＳ／ＰＢＣＨブロックの実効インデックスは、該あるＳＳ／ＰＢＣＨブロックの大規模特性に関連してもよい。例えば、同一の実効インデックスを備える複数のＳＳ／ＰＢＣＨブロックのそれぞれの大規模特性は、同一であるとみなしてもよい。基地局装置３は、同一の実効インデックスを備える複数のＳＳ／ＰＢＣＨブロックのそれぞれに対して同一のビームを適用してもよい。
【０１９６】
ＰＤＳＣＨは、スクランブリング（Scrambling）、変調（Modulation）、レイヤマッピング（layer mapping）、アンテナポートマッピング（Antenna port mapping）、および
、物理リソースマッピング（Mapping to physical resource）の一部または全部に少なくとも基づき与えられる。端末装置１は、スクランブリング、変調、レイヤマッピング、アンテナポートマッピング、および、物理リソースマッピングの一部または全部に少なくとも基づきＰＤＳＣＨが与えられると想定してもよい。
【０１９７】
スクランブリングにおいて、コードワードｑのために、ビットのブロックｂ（ｑ）（ｉ）は、スクランブリング系列ｃ（ｑ）（ｉ）に少なくとも基づきスクランブリングされ、ｂ（ｑ）ｓｃ（ｉ）が生成されてもよい。ビットのブロックｂ（ｑ）（ｉ）は、１つのトランスポートブロックに対応してもよい。ビットのブロックｂ（ｑ）（ｉ）において、ｉは０からＭ（ｑ）ｂｉｔ−１の範囲の整数値を示すインデックスである。Ｍ（ｑ）ｂｉｔは、ＰＤＳＣＨで送信されるコードワードｑのビット数であってもよい。スクランブリング系列ｃ（ｑ）（ｉ）は、疑似ランダム関数（例えば、Ｍ系列やＧｏｌｄ系列等）に少なくとも基づき与えられる系列であってもよい。スクランブリングにおいて、コードワードｑのために、ビットのブロックｂ（ｑ）ｓｃ（ｉ）は、ｂ（ｑ）ｓｃ（ｉ）＝ｍｏｄ（ｂ（ｑ）（ｉ）＋ｃ（ｑ）（ｉ），２）に少なくとも基づき与えられてもよい。
【０１９８】
ｍｏｄ（Ａ，Ｂ）は、ＡをＢで除算した余りを出力する関数であってもよい。ｍｏｄ（Ａ，Ｂ）は、ＡをＢで除算した余りに対応する値を出力する関数であってもよい。
【０１９９】
変調において、コードワードｑのために、スクランブルビットのブロックｂ（ｑ）ｓｃ（ｉ）が所定の変調方式に基づき変調され、複素数値変調シンボルのブロックｄ（ｑ）（ｉｍｏｄ）が生成されてもよい。複素数値変調シンボルのブロックｄ（ｑ）（ｉｍｏｄ）において、ｉｍｏｄは０からＭ（ｑ）ｓｙｍｂ−１の範囲の値を示す。Ｍ（ｑ）ｓｙｍｂは、ＰＤＳＣＨで送信されるコードワードｑの複素数値変調シンボル数であってもよい。所定の変調方式は、少なくともＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭ、および、２５６ＱＡＭの一部または全部を少なくとも含んでもよい。なお、所定の変調方式は、ＰＤＳＣＨをスケジューリングするＤＣＩに少なくとも基づき与えられてもよい。
【０２００】
レイヤマッピングにおいて、それぞれのコードワードのための複素数値変調シンボルのブロックｄ（ｑ）（ｉｍｏｄ）が、所定のマッピング手順に基づき１または複数のレイヤにマッピングされ、複素数値変調シンボルのブロックｘ（ｉｌａｙｅｒ）が生成されてもよい。複素数値変調シンボルのブロックｘ（ｉｌａｙｅｒ）において、ｉｌａｙｅｒは０からＭｌａｙｅｒｓｙｍｂ−１の範囲の値を示す。Ｍｌａｙｅｒｓｙｍｂは、レイヤあたりの複素数値変調シンボル数であってもよい。複素数値変調シンボルのブロックｘ（ｉｌａｙｅｒ）は、ｘ（ｉｌａｙｅｒ）＝［ｘ（０）（ｉｌａｙｅｒ）．．．ｘ（ｖ−１）（ｉｌａｙｅｒ）］Ｔであってもよい。ここで、［＊］Ｔは、行列＊の行と列が転置されることを示してもよい。複素数値変調シンボルのブロックｘ（ｉｌａｙｅｒ）の要素の数は、ＰＤＳＣＨで送信される全てのコードワードのためのレイヤ数に対応してもよい。ここで、ｖはＰＤＳＣＨのためのレイヤ数である。
【０２０１】
アンテナポートマッピングにおいて、複素数値変調シンボルのブロックｙ（λ）（ｉａｐ）＝ｘ（λ）（ｉｌａｙｅｒ）であってもよい。ｉａｐは、０からＭｌａｙｅｒｓｙｍｂＭｌａｙｅｒｓｙｍｂ−１の範囲の値を示す。例えば、ｉａｐ＝ｉｌａｙｅｒであってもよい。
【０２０２】
物理リソースへのマッピング（物理リソースマッピング）において、アンテナポートｐ
のための複素数値変調シンボルのブロックｙ（ｐ）（ｉａｐ）は、下記の要素Ａ１から要素Ａ３の一部または全部を少なくとも満たすリソースエレメントを除いて、ＰＤＳＣＨのために割り当てられるリソースブロックのリソースエレメント（ｋｓｃ、ｌｓｙｍ）からサブキャリアインデックスｋｓｃを優先してマップされてもよい。ここで、ｐはアンテナポートのインデックスであってもよい。ｐは０からＰ−１の範囲の値を示す。Ｐｈａ，ＰＤＳＣＨのアンテナポート数に対応する。ここで、サブキャリアインデックスｋｓｃを優先してマップすることは、リソースエレメント（ｋｓｃ、ｌｓｙｍ）のシンボルｌｓｙｍのｋｓｃからｋｓｃ＋Ｍ（Ｍは所定の値）、シンボルｌｓｙｍ＋１のｋｓｃからｋｓｃ＋Ｍ、・・・、シンボルｌｓｙｍ＋Ｎ（Ｎは所定の値）のｋｓｃからｋｓｃ＋Ｍというようにマップしていくことであってもよい。
要素Ａ１）ＰＤＳＣＨに関連するＤＭＲＳがマッピングされるリソースエレメント
要素Ａ２）ＤＬ  ＰＴＲＳがマッピングされるリソースエレメント
要素Ａ３）所定のリソースエレメント
【０２０３】
つまり、アンテナポートｐのための複素数値変調シンボルのブロックｙ（ｐ）（ｉａｐ）がマップされるリソースエレメントは、ＰＤＳＣＨのために割り当てられるリソースブロックに含まれ、かつ、要素Ａ１から要素Ａ３を少なくとも満たさないリソースエレメントであってもよい。
【０２０４】
所定のリソースエレメントは、ＰＤＳＣＨのために利用不可能であると宣言された（declared as not available for PDSCH）リソースエレメントであってもよい。また、所定のリソースエレメントは、送信されるＳＳ／ＰＢＣＨブロックに用いられるリソースエレメントを少なくとも含んでもよい。
【０２０５】
リソースエレメント（ｋｓｃ，ｌｓｙｍ）に含まれる周波数領域のインデックスｋｓｃと時間領域のインデックスｌｓｙｍは、インデックスペアとも呼称される。インデックスペアは、周波数領域のインデックスｋｓｃと時間領域のインデックスｌｓｙｍを少なくとも含む。インデックスペアは、アンテナポートのインデックスｐを含まなくてもよい。周波数領域のインデックスｋｓｃと時間領域のインデックスｌｓｙｍにより示されるリソースエレメントのインデックスペアは、インデックスペア（ｋｓｃ，ｌｓｙｍ）とも呼称される。
【０２０６】
要素Ａ３において、送信されるＳＳ／ＰＢＣＨブロックは、第１の上位層パラメータ（ssbPositionInBurst）に少なくとも基づき与えられてもよい。例えば、第１の上位層パラメータは、ＮＲＲＣビットを含んでもよい。例えば、ＮＲＲＣは、ＮＱに等しくてもよい。また、ＮＲＲＣは、実効インデックスとしてとりうる値の数に等しくてもよい。端末装置１は、第１の上位層パラメータに少なくとも基づき、１または複数のＳＳ／ＰＢＣＨブロックが送信される、と想定してもよい。
【０２０７】
第１のパラメータのｎ番目のビットは、ｍ番目のＳＳ／ＰＢＣＨブロックグループに対応してもよい。ここで、例えば、ｍ＝ｎであってもよい。また、ｎ＝ｍ−１であってもよい。ｍ番目のＳＳ／ＰＢＣＨブロックグループは、１または複数のＳＳ／ＰＢＣＨブロックを含んでもよい。例えば、ｍ番目のＳＳ／ＰＢＣＨブロックグループは、実効インデックス＃ｍに対応する１または複数のＳＳ／ＰＢＣＨブロックを含んでもよい。また、ｍ番目のＳＳ／ＰＢＣＨブロックグループは、実効インデックス＃ｍ−１に対応する１または複数のＳＳ／ＰＢＣＨブロックを含んでもよい。
【０２０８】
例えば、端末装置１は、第１のパラメータのｎ番目のビットが１にセットされることによって、（ｍ−１＋ＮＱ＊ｍ）のインデックスの初期信号ブロックが送信されたと想定してもよい。また、ｍ番目のＳＳ／ＰＢＣＨブロックグループは、（ｍ−１＋ＮＱ＊ｍ）の
インデックスの初期信号ブロックを少なくとも含んでもよい。ここで、ｍの値の範囲は、０からＦｌｏｏｒ（ＮＳＳＢ÷ＮＱ）の間であってもよい。また、ｍは、ＮＳＳＢをＮＱで割った商以下の０を含む自然数の集合であってもよい。ここで、ＮＳＳＢは、ハーフ無線フレームに含まれるＳＳ／ＰＢＣＨブロックの候補の数であってもよい。
【０２０９】
例えば、端末装置１は、第１のパラメータのｎ番目のビットが１にセットされることによって、（ｍ−１＋ＬＳＳＢ＊ｍ）のインデックスの初期信号ブロックが送信されたと想定してもよい。また、ｍ番目のＳＳ／ＰＢＣＨブロックグループは、（ｍ−１＋ＬＳＳＢ＊ｍ）のインデックスの初期信号ブロックを少なくとも含んでもよい。ここで、ｍの値の範囲は、０からＦｌｏｏｒ（ＬＳＳＢ÷ＮＱ）の間であってもよい。また、ｍは、ＬＳＳＢをＮＱで割った商以下の０を含む自然数の集合であってもよい。
【０２１０】
例えば、端末装置１は、第１のパラメータのｎ番目のビットが１にセットされることによって、ｍ＊ＮＱ＋ｓのインデックスの初期信号ブロックが送信されたと想定してもよい。ここで、ｓの値の範囲は、０からＮＱ−１の間であってもよい。
【０２１１】
例えば、端末装置１は、第１のパラメータのｎ番目のビットが１にセットされることによって、ｍ＊ＬＳＳＢ＋ｓのインデックスの初期信号ブロックが送信されたと想定してもよい。ここで、ｓの値の範囲は、０からＬＳＳＢ−１の間であってもよい。
【０２１２】
例えば、第１の上位層パラメータのｎ番目のビットが所定の値にセットされている場合、送信されるＳＳ／ＰＢＣＨブロックはｍ番目のＳＳ／ＰＢＣＨブロックグループに含まれる１または複数のＳＳ／ＰＢＣＨブロックを含んでもよい（または、含むとみなされてもよい）。送信されるＳＳ／ＰＢＣＨブロックがｍ番目のＳＳ／ＰＢＣＨブロックグループに含まれる１または複数のＳＳ／ＰＢＣＨブロックを含むことは、ｍ番目のＳＳ／ＰＢＣＨブロックグループに含まれる１または複数のＳＳ／ＰＢＣＨブロックが送信されると端末装置１によって想定されることであってもよい。
【０２１３】
例えば、Ｃ−ＲＮＴＩに基づきスクランブルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、ｍ番目のＳＳ／ＰＢＣＨブロックグループに含まれる１または複数のＳＳ／ＰＢＣＨブロックを含んでもよい。
【０２１４】
例えば、ＳＩ−ＲＮＴＩに基づきスクランブルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、ｍ番目のＳＳ／ＰＢＣＨブロックグループに含まれる１または複数のＳＳ／ＰＢＣＨブロックを含んでもよい。ここで、該ＤＣＩフォーマットに含まれるシステム情報指標（System Information Indicator）の値は１にセットされてもよい（または、システム情報指標が、該ＤＣＩフォーマットによりスケジューリングされるＰＤＳＣＨにおいてＳＩＢ１以外のシステム情報が含まれることを示すようにセットされてもよい）。
【０２１５】
例えば、ＳＩ−ＲＮＴＩに基づきスクランブルされたＣＲＣを伴うＤＣＩフォーマットによりスケジューリングされるＰＤＳＣＨに対して、送信されるＳＳ／ＰＢＣＨブロックは、該ＤＣＩフォーマットが検出される探索領域セットに対応するＳＳ／ＰＢＣＨブロックを含んでもよい。ここで、該ＤＣＩフォーマットに含まれるシステム情報指標（System
Information Indicator）の値は０にセットされてもよい（または、システム情報指標が、該ＤＣＩフォーマットによりスケジューリングされるＰＤＳＣＨにおいてＳＩＢ１が含まれることを示すようにセットされてもよい）。
【０２１６】
例えば、ＲＡ−ＲＮＴＩに基づきスクランブルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、ｍ番目のＳＳ／ＰＢＣＨブロックグループに含まれる１または複数のＳＳ／ＰＢＣＨブロックを含んでもよい。
【０２１７】
例えば、ＴＣ−ＲＮＴＩに基づきスクランブルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、ｍ番目のＳＳ／ＰＢＣＨブロックグループに含まれる１または複数のＳＳ／ＰＢＣＨブロックを含んでもよい。
【０２１８】
例えば、Ｐ−ＲＮＴＩに基づきスクランブルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、ｍ番目のＳＳ／ＰＢＣＨブロックグループに含まれる１または複数のＳＳ／ＰＢＣＨブロックを含んでもよい。
【０２１９】
ここで、免許不要帯域において動作することは、以下の要素１から要素４の一部または全部を少なくとも含んでもよい。
要素１：免許不要帯域で動作することを示す上位層のパラメータが与えられる
要素２：免許不要帯域で動作するようにサービングセルが設定される
要素３：免許不要帯域にキャリアが設定される
要素４：キャリアが免許不要帯域に含まれる
【０２２０】
例えば、免許不要帯域において動作し、かつ、Ｃ−ＲＮＴＩに基づきスクランブルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、ｍ番目のＳＳ／ＰＢＣＨブロックグループに含まれる１または複数のＳＳ／ＰＢＣＨブロックを含んでもよい。
【０２２１】
例えば、免許不要帯域において動作し、かつ、ＳＩ−ＲＮＴＩに基づきスクランブルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、ｍ番目のＳＳ／ＰＢＣＨブロックグループに含まれる１または複数のＳＳ／ＰＢＣＨブロックを含んでもよい。ここで、該ＤＣＩフォーマットに含まれるシステム情報指標（System Information Indicator）の値は１にセットされてもよい（または、システム情報指標が、該ＤＣＩフォーマットによりスケジューリングされるＰＤＳＣＨにおいてＳＩＢ１以外のシステム情報が含まれることを示すようにセットされてもよい）。
【０２２２】
例えば、免許不要帯域以外において動作し、かつ、ＳＩ−ＲＮＴＩに基づきスクランブルされたＣＲＣを伴うＤＣＩフォーマットによりスケジューリングされるＰＤＳＣＨに対して、送信されるＳＳ／ＰＢＣＨブロックは、該ＤＣＩフォーマットが検出される探索領域セットに対応するＳＳ／ＰＢＣＨブロックを含んでもよい。ここで、該ＤＣＩフォーマットに含まれるシステム情報指標（System Information Indicator）の値は０にセットされてもよい（または、システム情報指標が、該ＤＣＩフォーマットによりスケジューリングされるＰＤＳＣＨにおいてＳＩＢ１が含まれることを示すようにセットされてもよい）。
【０２２３】
例えば、免許不要帯域以外において動作し、かつ、ＲＡ−ＲＮＴＩに基づきスクランブルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、ｍ番目のＳＳ／ＰＢＣＨブロックグループに含まれる１または複数のＳＳ／ＰＢＣＨブロックを含んでもよい。
【０２２４】
例えば、免許不要帯域以外において動作し、かつ、ＴＣ−ＲＮＴＩに基づきスクランブルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、ｍ番目のＳＳ／ＰＢＣＨブロックグループに含まれる１または複数のＳＳ／ＰＢＣＨブロックを含んでもよい。
【０２２５】
例えば、免許不要帯域以外において動作し、かつ、Ｐ−ＲＮＴＩに基づきスクランブルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、ｍ番目のＳＳ／ＰＢＣＨブロックグループに含まれる１または複数のＳＳ／ＰＢＣＨブロックを含んでもよい。 
【０２２６】
例えば、免許不要帯域以外において動作し、かつ、Ｃ−ＲＮＴＩに基づきスクランブルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、通知インデックスがｎに対応するＳＳ／ＰＢＣＨブロックを含んでもよい。
【０２２７】
例えば、免許不要帯域以外において動作し、かつ、ＳＩ−ＲＮＴＩに基づきスクランブルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、通知インデックスがｎに対応するＳＳ／ＰＢＣＨブロックを含んでもよい。ここで、該ＤＣＩフォーマットに含まれるシステム情報指標（System Information Indicator）の値は１にセットされてもよい（または、システム情報指標が、該ＤＣＩフォーマットによりスケジューリングされるＰＤＳＣＨにおいてＳＩＢ１以外のシステム情報が含まれることを示すようにセットされてもよい）。
【０２２８】
例えば、免許不要帯域以外において動作し、かつ、ＳＩ−ＲＮＴＩに基づきスクランブルされたＣＲＣを伴うＤＣＩフォーマットによりスケジューリングされるＰＤＳＣＨに対して、送信されるＳＳ／ＰＢＣＨブロックはがないとみなしてもよい。ここで、該ＤＣＩフォーマットに含まれるシステム情報指標（System Information Indicator）の値は０にセットされてもよい（または、システム情報指標が、該ＤＣＩフォーマットによりスケジューリングされるＰＤＳＣＨにおいてＳＩＢ１が含まれることを示すようにセットされてもよい）。
【０２２９】
例えば、免許不要帯域以外において動作し、かつ、ＲＡ−ＲＮＴＩに基づきスクランブルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、通知インデックスがｎに対応するＳＳ／ＰＢＣＨブロックを含んでもよい。
【０２３０】
例えば、免許不要帯域以外において動作し、かつ、ＴＣ−ＲＮＴＩに基づきスクランブ
ルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、通知インデックスがｎに対応するＳＳ／ＰＢＣＨブロックを含んでもよい。
【０２３１】
例えば、免許不要帯域以外において動作し、かつ、Ｐ−ＲＮＴＩに基づきスクランブルされたＣＲＣを伴うＤＣＩフォーマットによりスケジューリングされるＰＤＳＣＨに対して、第１の上位層パラメータのｎ番目のビットが所定の値にセットされている場合、送信されるＳＳ／ＰＢＣＨブロックは、通知インデックスがｎに対応するＳＳ／ＰＢＣＨブロックを含んでもよい。
【０２３２】
端末装置１によってモニタされるタイプ０ＰＤＣＣＨ共通探索領域セットは、端末装置１によって検出されたＳＳ／ＰＢＣＨブロックに対応する探索領域セットであってもよい。例えば、端末装置１によって検出されたＳＳ／ＰＢＣＨブロックに対応する探索領域セットは、端末装置１によって検出されたＳＳ／ＰＢＣＨブロックの実効インデックスに対応するＳＳ／ＰＢＣＨブロックグループに含まれる１または複数のＳＳ／ＰＢＣＨブロックのそれぞれに対応する探索領域セットであってもよい。
【０２３３】
例えば、免許不要帯域において動作する場合、端末装置１によって検出されたＳＳ／ＰＢＣＨブロックに対応する探索領域セットは、端末装置１によって検出されたＳＳ／ＰＢＣＨブロックの実効インデックスに対応するＳＳ／ＰＢＣＨブロックグループに含まれる１または複数のＳＳ／ＰＢＣＨブロックのそれぞれに対応する探索領域セットであってもよい。
【０２３４】
例えば、免許不要帯域以外において動作する場合、端末装置１によって検出されたＳＳ／ＰＢＣＨブロックに対応する探索領域セットは、端末装置１によって検出されたＳＳ／ＰＢＣＨブロックの通知インデックスに対応するＳＳ／ＰＢＣＨブロックに対応する探索領域セットであってもよい。
【０２３５】
端末装置１によってモニタされる、タイプ２ＰＤＣＣＨ共通探索領域セットの監視機会は、ｍｏｄ（ＳＦＮ＋ＰＦ＿ｏｆｆｓｅｔ，Ｔ）＝ｄｉｖ（Ｔ，Ｎ）＊ｍｏｄ（ＵＥ＿ＩＤ，Ｎ）を満たす無線フレーム（ページングフレーム）に含まれてもよい。ここで、ＳＦＮは、無線フレームの番号であってもよい。また、ＰＦ＿ｏｆｆｓｅｔは、ページングフレームのオフセットであり、上位層パラメータに含まれる値に少なくとも基づき示されてもよい。また、Ｔは、アイドル状態の端末装置１に対して与えられるＤＲＸサイクルの期間に対応し、上位層パラメータに含まれる値に少なくとも基づき示されてもよい。また、Ｎは、期間Ｔにおけるページング機会（Paging occasion）の数であり、上位層パラメー
タに含まれる値に少なくとも基づき示されてもよい。ＵＥ＿ｉｄは、端末装置１に与えられる識別子に少なくとも基づき与えられてもよい。
【０２３６】
あるページングフレームに含まれる１または複数のページング機会のインデックスは、０からＮｓ−１の間の整数値によって与えられてもよい。あるページング機会は、ＫＳＳＢ個のＰＤＣＣＨの監視機会を含んでもよい。
【０２３７】
例えばＫＳＳＢは、送信されるＳＳ／ＰＢＣＨブロックの数であってもよい。
【０２３８】
例えば、ＫＳＳＢは、送信されるＳＳ／ＰＢＣＨブロックに含まれ、端末装置１によってＳＳ／ＰＢＣＨブロック間のＱＣＬが同一であることが想定されないＳＳ／ＰＢＣＨブロックの数であってもよい。また、ＫＳＳＢは、少なくとも１つのＳＳ／ＰＢＣＨブロックが送信されるＳＳ／ＰＢＣＨブロックグループの数であってもよい。
【０２３９】
図９は、本実施形態の一態様に係るＳＳ／ＰＢＣＨブロックの送信の一例を示す図である。なお、ＳＳ／ＰＢＣＨブロック候補のマッピングは、図８と同様であるため、説明を省略する。図９において斜線で示されるブロックは、実際に送信されるＳＳ／ＰＢＣＨブロックである。ここで、実効インデックス＃０に対応するＳＳ／ＰＢＣＨブロックグループのうち、送信されるＳＳ／ＰＢＣＨブロックは、ＳＳ／ＰＢＣＨブロック８０００、８０００８、および、８０１６である。また、実効インデックス＃１に対応するＳＳ／ＰＢＣＨブロックグループのうち、送信されるＳＳ／ＰＢＣＨブロックはない。また、実効インデックス＃２に対応するＳＳ／ＰＢＣＨブロックグループのうち、送信されるＳＳ／ＰＢＣＨブロックはない。また、実効インデックス＃３に対応するＳＳ／ＰＢＣＨブロックグループのうち、送信されるＳＳ／ＰＢＣＨブロックは、ＳＳ／ＰＢＣＨブロック８００３、および、８０１１である。また、実効インデックス＃４に対応するＳＳ／ＰＢＣＨブロックグループのうち、送信されるＳＳ／ＰＢＣＨブロックはない。また、実効インデックス＃５に対応するＳＳ／ＰＢＣＨブロックグループのうち、送信されるＳＳ／ＰＢＣＨブロックはない。また、実効インデックス＃６に対応するＳＳ／ＰＢＣＨブロックグループのうち、送信されるＳＳ／ＰＢＣＨブロックは、ＳＳ／ＰＢＣＨブロック８００１４である。また、実効インデックス＃７に対応するＳＳ／ＰＢＣＨブロックグループのうち、送信されるＳＳ／ＰＢＣＨブロックはない。ここで、少なくとも１つのＳＳ／ＰＢＣＨブロックが送信されるＳＳ／ＰＢＣＨブロックグループは、実効インデックス＃０に対応するＳＳ／ＰＢＣＨブロックグループ、実効インデックス＃３に対応するＳＳ／ＰＢＣＨブロックグループ、実効インデックス＃６に対応するＳＳ／ＰＢＣＨブロックグループである。つまり、ＫＳＳＢは、３であってもよい。
【０２４０】
以下、本実施形態の一態様に係る種々の装置の態様を説明する。
【０２４１】
（１）上記の目的を達成するために、本発明の態様は、以下のような手段を講じた。すなわち、本発明の第１の態様は、端末装置であって、上位層パラメータ（ssbPositionInBurst）の設定を行う設定部と、ＰＤＳＣＨを受信する受信部と、を備え、前記上位層パラメータに含まれるｎ番目のビットは、ｎ番目の初期信号ブロックグループに対応し、前記ｎ番目の初期信号ブロックグループは、第１のインデックスがｎである、１または複数の初期信号ブロックを含み、前記１または複数の初期信号ブロックのいずれかに対する第２のインデックスがＸである場合、前記１または複数の初期信号ブロックの前記いずれかに対する前記第１のインデックスは、ＸをＮＱで除算することによって得られるあまりに、Ｙが加算されることに少なくとも基づき与えられ、前記第２のインデックスは、前記１または複数の初期信号ブロックの前記いずれかに含まれるＰＢＣＨ、および／または、前記ＰＢＣＨに関連するＤＭＲＳに少なくとも基づき与えられ、前記ＰＤＳＣＨの複素変調シンボルのブロックは、前記ＰＤＳＣＨのために割り当てられるリソースのうち、送信される初期信号ブロックにマップされず、前記上位層パラメータに含まれるｎ番目のビットが所定の値にセットされている場合に、前記送信される初期信号ブロックは、前記ｎ番目の初期信号ブロックグループに含まれる前記１または複数の初期信号ブロックを含む。
【０２４２】
（２）また、本発明の第２の態様は、端末装置であって、上位層パラメータ（ssbPositionInBurst）の設定を行う設定部と、ＮＳＳＢ個の初期信号ブロックから構成される初期信号において送信された１つ以上の前記初期信号ブロックの時間領域位置を示す前記上位層パラメータを受信し、および、ＰＤＳＣＨを受信し、ここで、前記Ｎは、ハーフ無線フレームに含まれる初期信号ブロックの候補の数であり、前記ハーフ無線フレームは、無線フレームに含まれる１０個のサブフレームのうちの前半の５個、または、後半の５個のサブフレームのいずれかを含んで構成され、前記上位層パラメータに従って前記送信された１つ以上の初期信号ブロックを想定し、前記送信された１つ以上の初期信号ブロックに用いられるリソースエレメントは、前記ＰＤＳＣＨに利用できないと想定し、前記上記層パラメータのｎ番目のビットが１にセットされることは、（ｎ−１＋ＮＱ＊ｍ）のインデックスの初期信号ブロックが送信されたと想定する受信部と、を備え、前記ｍ＝（０、…、Ｆｌｏｏｒ（ＮＳＳＢ÷ＮＱ，１））である、または、前記ｍは前記ＮＳＳＢを前記ＮＱで割った商以下の０を含む自然数の集合である。
【０２４３】
（３）また、本発明の第３の態様は、基地局装置であって、上位層パラメータ（ssbPositionInBurst）の設定を行う設定部と、ＰＤＳＣＨを送信する送信部と、を備え、前記上位層パラメータに含まれるｎ番目のビットは、ｎ番目の初期信号ブロックグループに対応し、前記ｎ番目の初期信号ブロックグループは、第１のインデックスがｎである、１または複数の初期信号ブロックを含み、前記１または複数の初期信号ブロックのいずれかに対する第２のインデックスがＸである場合、前記１または複数の初期信号ブロックの前記いずれかに対する前記第１のインデックスは、ＸをＮＱで除算することによって得られるあまりに、Ｙが加算されることに少なくとも基づき与えられ、前記第２のインデックスは、前記１または複数の初期信号ブロックの前記いずれかに含まれるＰＢＣＨ、および／または、前記ＰＢＣＨに関連するＤＭＲＳに少なくとも基づき与えられ、前記ＰＤＳＣＨの複素変調シンボルのブロックは、前記ＰＤＳＣＨのために割り当てられるリソースのうち、送信される初期信号ブロックにマップされず、前記上位層パラメータに含まれるｎ番目のビットが所定の値にセットされている場合に、前記送信される初期信号ブロックは、前記ｎ番目の初期信号ブロックグループに含まれる前記１または複数の初期信号ブロックを含む。
【０２４４】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０２４５】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２４６】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２４７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２４８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２４９】
また、上述した実施形態における基地局装置３は、ＥＵＴＲＡＮ（Evolved Universal Terrestrial Radio Access Network）および／またはＮＧ−ＲＡＮ（NextGen RAN，NR RAN）であってもよい。また、上述した実施形態における基地局装置３は、ｅＮｏｄｅＢおよび／またはｇＮＢに対する上位ノードの機能の一部または全部を有してもよい。
【０２５０】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２５１】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２５２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２５３】
１（１Ａ、１Ｂ、１Ｃ）  端末装置
３  基地局装置
１０、３０  無線送受信部
１１、３１  アンテナ部
１２、３２  ＲＦ部
１３、３３  ベースバンド部
１４、３４  上位層処理部
１５、３５  媒体アクセス制御層処理部
１６、３６  無線リソース制御層処理部
９１、９２、９３、９４  探索領域セット
３０１  プライマリセル
３０２、３０３  セカンダリセル
８０００、８００１、８００２、８００３、８００４、８００５、８０６、８００７、８００８、８００９、８０１０、８０１１、８０１２、８０１３、８０１４、８０１５、８０１６、８０１７、８０１８、８０１９  ＳＳ／ＰＢＣＨブロックの候補
【図１】
2020136765.tif 000002
【図２】
2020136765.tif 000003
【図３】
2020136765.tif 000004
【図４】
2020136765.tif 000005
【図５】
2020136765.tif 000006
【図６】
2020136765.tif 000007
【図７】
2020136765.tif 000008
【図８】
2020136765.tif 000009
【図９】
2020136765.tif 000010